(57)【特許請求の範囲】
【請求項１】
多数の製品キャビティ列（２’）を備える食品成形ドラム（１）であって、各列（２’）が１つまたは多数の製品キャビティ（２−Ｉ〜２−Ｖ）を備えている食品成形ドラム（１）において、前記製品キャビティは、相互接続孔を有する多孔質材料から作製された１つまたは複数の少なくとも部分的に多孔質の部材（７８）として設けられ、食品成形ドラム（１）はさらに、内側円筒（７５）と、少なくとも１つの多孔質部材（７８）と、前記円筒（７５）と前記多孔質部材との間の少なくとも１つのリブ（７６）とを備えており、前記リブ（７６）は、形状嵌合および／または圧力嵌合または接着剤結合によって前記円筒に接続され、前記多孔質の部材は、インサート（７８）として設けられ、各インサートは、２つのリブ（７６）に接続されており、各リブは、前記ドラムの全長にわたって延在する複数の凹部（７２ａ）を備えていることを特徴とする、食品成形ドラム。
【請求項２】
前記ドラム（１）の先端（３，４）に隣接する前記多孔質部材（７８）の表面の孔は、少なくとも部分的に閉鎖されていることを特徴とする、請求項１に記載の食品成形ドラム。
【請求項３】
前記多孔質部材（７８）の前記孔は、深圧延および／またはショットピーニングによって少なくとも部分的に閉鎖されていることを特徴とする、請求項１または２に記載の食品成形ドラム。
【請求項４】
前記多孔質部材は、前記リブ（７６）を部分的に収容する凹部（７４）を備えており、前記リブは、２つの製品キャビティ列（２’）間の流体交換を低減させるようになっていることを特徴とする、請求項１に記載の食品成形ドラム。
【請求項５】
前記リブ（７６）内に流路（７９）が設けられていることを特徴とする、請求項１〜４のいずれか１つに記載の食品成形ドラム。
【請求項６】
多数の多孔質の製品キャビティ列（２’）を備えており、前記ドラムは、前記ドラムを回転させるための少なくとも２つの形状嵌合手段（７）をさらに備えており、前記形状嵌合手段（７）は、互いに異なる形状を有していることを特徴とする、請求項１〜５のいずれか１つに記載の食品成形ドラム。
【請求項７】
多数の多孔質の製品キャビティ列（２’）を備えており、前記ドラムは、成形装置に回転可能に軸支されるようになっており、前記ドラムは、その先端（３，４）の少なくとも１つに切頭円錐（１６，１７）を備えていることを特徴とする、請求項１〜６のいずれか１つに記載の食品成形ドラム。
【請求項８】
多数の多孔質の製品キャビティ列（２’）を有する多孔質部材（７８）を備えており、各列（２’）が多数の多孔質製品キャビティ（２−Ｉ〜２−Ｖ）を備えており、ガスを用いて、前記キャビティを洗い流し、および／または成形された製品を前記キャビティから取り出すようになっており、および／または流体を用いて、前記キャビティを洗浄するようになっており、前記多孔質部材は、２つの列（２’）間および／または２つの通路（８）間において前記多孔質部材を通るガスおよび／または流体の交換を可能にするように設計されていることを特徴とする、請求項１〜７のいずれか１つに記載の食品成形ドラム。
【請求項９】
多数の多孔質の製品キャビティ列（２’）を有する多孔質部材（７８）を備えており、各列（２’）が多数の多孔質製品キャビティ（２−Ｉ〜２−Ｖ）を備えており、前記ドラムは、さらに減圧源を備えており、この減圧源は、２つの列間の領域において前記多孔質部材に接続されており、例えば、成形された製品の排出中に２つの互いに隣接する列（２’）間のガス交換を低減させるようになっていることを特徴とする、請求項１〜８のいずれか１つに記載の食品成形ドラム。
【請求項１０】
多孔質部材（７８）を備えており、前記多孔質部材（７８）は、互いに接合された互いに異なる多孔率を有する２つの層を備えており、前記食品成形ドラムの表面の前記層は、前記外層の内側の層よりも低い多孔率を有していることを特徴とする、請求項１〜９のいずれか１つに記載の食品成形ドラム。
【請求項１１】
多数の製品キャビティ列（２’）を備えており、各列（２’）が１つまたは多数の製品キャビティ（２−Ｉ〜２−Ｖ）を備えており、前記製品キャビティは、相互接続孔を有する多孔質材料から作製された１つまたは複数の少なくとも部分的に多孔質の部材（７８）として設けられており、前記部材（７８）は、少なくとも１つの接続領域（７２ａ，７４）において内側部材（７５，７７）に直接的または間接的に接続されており、前記接続は、接着剤接続および／または形状嵌合手段および／または圧力嵌合手段および／または摩擦嵌合手段（７２ａ，７４）によってなされている、請求項１〜１０のいずれか１つに記載の食品成形ドラム。
【請求項１２】
形状嵌合手段および／または圧力嵌合手段および／または摩擦嵌合手段（７２ａ，７４）は、前記ドラムを全軸長にわたって貫通していることを特徴とする、請求項１１に記載の食品成形ドラム。
【請求項１３】
形状嵌合手段および／または圧力嵌合手段および／または摩擦嵌合手段（７２ａ，７４）は、前記多孔質部材と前記形状嵌合手段および／または圧力嵌合手段および／または摩擦嵌合手段（７２ａ，７４）および／または前記内側円筒またはリブ（７６）との間に予張力をもたらすようになっていることを特徴とする、請求項１１または１２の１つに記載の食品成形ドラム。
【請求項１４】
各多孔質部材（７８）は、２つ以上の形状嵌合手段および／または圧力嵌合手段および／または摩擦嵌合手段（７２ａ，７４）によって固定されていることを特徴とする、請求項１１〜１３のいずれか１つに記載の食品成形ドラム。
【請求項１５】
内側部材および多孔質部材を備えており、前記多孔質部材（７８）は、粉末材料から作製された２つの層（７０，７１）を備えていることを特徴とする、請求項１〜１４のいずれか１つに記載の食品成形ドラム。
【請求項１６】
前記多孔質部材は、前記内側部材にその場で作製されるようになっていることを特徴とする、請求項１５に記載の食品成形ドラム。
【請求項１７】
内側部材および多孔質部材（７８）を備えており、前記多孔質部材（７８）は、前記多孔質部材（７８）を支持する透過性構造部材（７２ｂ）を備えていることを特徴とする、請求項１〜１６のいずれか１つに記載の食品成形ドラム。
【請求項１８】
前記透過性構造部材（７２ｂ）は、ワイヤメッシュであることを特徴とする、請求項１７に記載の食品成形ドラム。
【請求項１９】
前記透過性構造部材（７２ｂ）は、２つのリブ（７６）間に設けられていることを特徴とする、請求項１７または１８の１つに記載の食品成形ドラム。
【請求項２０】
前記透過性構造部材（７２ｂ）は、前記ドラムの全長にわたって延在していることを特徴とする、請求項１８または１９の１つに記載の食品成形ドラム。
【請求項２１】
前記多孔質インサートの外面の前記孔は、溶射によってもたらされる被膜によって封止されていることを特徴とする、請求項１〜２０のいずれか１つに記載の食品成形ドラム。
【請求項２２】
前記ドラムは、エンドキャップ（３’，４’）を備えており、前記キャップ（３’，４’）は、前記ドラムを回転させる形状嵌合手段および／または摩擦嵌合手段（７）および／または放出流体および／または洗浄流体のための入口および／または出口（１６３）を備えていることを特徴とする、請求項１〜２１のいずれか１つに記載の食品成形ドラム。
【請求項２３】
内側円筒（７５）と、少なくとも１つの多孔質部材（７８）と、前記円筒（７５）と前記多孔質部材との間の少なくとも１つのリブ（７６）とを備えており、前記リブ（７６）は、形状嵌合および／または圧力嵌合および／または接着剤結合によって前記円筒に接続されており、前記リブ（７６）は、前記円筒（７５）に対して移動可能に設けられていることを特徴とする、請求項１〜２２のいずれか１つに記載の食品成形ドラム。
【請求項２４】
前記リブが変形可能に設けられていることを特徴とする、請求項２３に記載の食品成形ドラム。
【請求項２５】
前記各リブ（７６）が２つの部分として設けられていることを特徴とする、請求項２３または２４の１つに記載の食品成形ドラム。
【発明の詳細な説明】
【技術分野】
【０００１】
本発明は、多数の製品キャビティ列を備える食品成形ドラムであって、各列が多数の製品キャビティを備えている、食品成形ドラムにおいて、該製品キャビティは、相互接続孔を有する多孔質材料から作製された１つまたは複数の少なくとも部分的に多孔質の部材として設けられている、食品成形ドラムに関する。さらに、本発明は、食品成形ドラムを備える食品成形装置、および多孔性部材に関する。加えて、本発明は、ドラムを移送する可動ユニット、およびドラムを取り換える方法または食品成形装置を洗浄する方法に関する。
【背景技術】
【０００２】
食品成形ドラムは、食品塊からパティのような食製品を成形する機械に利用されている。このような装置は、例えば、特許文献１に記載されている。しかし、この文献に記載されている食品成形ドラムは、製造するのが困難であり、かつ衛生上の問題を有している。
【先行技術文献】
【特許文献】
【０００３】
【特許文献１】米国特許第３，２０５，８３７号明細書
【発明の概要】
【発明が解決しようとする課題】
【０００４】
従って、本発明の目的は、最新の技術による装置の欠点を有しない食品成形ドラムを提供することにある。
【課題を解決するための手段】
【０００５】
この課題は、多数の製品キャビティ列を備える食品成形ドラムであって、各列が１つまたは多数の製品キャビティを備えている、食品成形ドラムにおいて、該製品キャビティは、相互接続孔を有する多孔質材料から作製された１つまたは複数の少なくとも部分的に多孔質の部材として設けられている、食品成形ドラムによって達成されることになる。
【０００６】
本発明のこの実施形態の開示内容は、本発明の他の進歩的な実施形態にも適用され、その逆も同様である、
【０００７】
本発明は、食品成形装置の一部である食品成形ドラムに関する。この食品成形ドラムは、その外面に多数の製品キャビティを有している。製品キャビティは、ドラムの周囲に向かって開いており、該製品キャビティ内において、食品塊が食製品、例えば、パティに成形されることになる。この食品成形ドラムは、本発明によれば、多数の製品キャビティ列を備えており、各列は、並んで配置された１つまたは多数の製品キャビティを備えている。これらの列は、本発明のドラムの中心軸と平行に配列されている。製造中、ドラムが回転し、１つの位置において、１つの列の製品キャビティが食品塊によって充填され、下流の位置において、１つの列に位置する製品キャビティから成形された食品塊が排出される。続いて、１つのキャビティ列における製品キャビティが再び充填され、以後、前述のステップが繰り返されることになる。充填中に製品キャビティを通気するために、および／または製品の排出を助長するために、製品キャビティは、少なくとも部分的に多孔質材料、例えば、ガス透過性の焼結金属から作製されており、該多孔質材料を介して製品キャビティが通気され、または該多孔質材料を通してガス、例えば、空気が放出され、成形された製品を製品キャビティの表面から離脱させることができる。好ましくは、多孔質材料は、互いに相互接続された孔／流路を備えている。
【０００８】
食品成形ドラムは、さらに好ましくは、流路を備えている。この流路は、ドラムの長手方向に、すなわち、ドラムの中心軸と平行に延在しており、好ましくは、ドラムの一端から他端に延在している。各流路を介して、循環空気を、例えば、周囲に放出することができ、および／または成形された製品を排出するために、圧縮ガスをキャビティ内に送り込むことができる。加えて、洗浄流体を流路および／または製品キャビティの多孔質材料内に送り込むことができる。
【０００９】
少なくとも部分的に多孔質の製品キャビティは、１つまたは複数の多孔質部材として設けられており、キャビティは、多孔質材料に形成された凹部である。多孔質部材は、好ましくは、円筒または円筒セグメントである。多孔質部材は、内側ドラムの周囲の全体にわたって延在していてもよいし、またはインサートであってもよい。インサートは、好ましくはドラム状の構造体に挿入され、次いで、固定されるようになっている。各セグメントは、１つまたは複数のキャビティ列を備えているとよい。
【００１０】
多孔質部材は、型ドラムの一部である。型ドラムは、塊供給システムによって送達される食材、例えば、肉の塊から製品、例えば、パティを成形するために用いられるものである。ドラムは、１つまたは複数のキャビティを有する１つまたは複数の列を備えており、製品キャビティ壁は、少なくとも部分的に多孔質構造を有している。成形装置および／または洗浄装置および／または貯蔵ユニットに対して型ドラムを容易に脱着させるために、および型ドラムを成形装置および／または洗浄装置および／または貯蔵ユニット間で移動させるために、可動ユニットが用いられるようになっている。
【００１１】
本発明の好ましいまたは進歩的な実施形態によれば、多孔質部材は、少なくとも１つの接合位置において、内側円筒に直接的または間接的に接続されており、該接合位置における多孔質部材の表面の孔は、少なくとも部分的に閉鎖されている。
【００１２】
本発明のこの実施形態の開示内容は、本発明の他の進歩的な実施形態にも適用され、その逆も同様である。
【００１３】
接合位置における多孔質材料の孔を閉鎖することによって、接合材料、例えば、接着剤またはろう付け剤が多孔質材料内に浸透しないことが確実になる。
【００１４】
好ましくは、各多孔質部材は、インサートとして設けられている。インサートは、内側部材のようなドラムの凹部内に少なくとも部分的に挿入され、この部材に接合されることになる。この接合は、好ましくは、ろう付けまたは半田付けによって行なわれる。代替的または付加的に、各インサートは、インサートおよびドラムおよび／またはドラムの内側部材間において、形状接続、圧力接続、および／または摩擦接続によって、ドラムに接続されてもよい。
【００１５】
本発明の他の進歩的なまたは好ましい実施形態によれば、ドラムの先端に隣接する多孔質部材の表面の孔は、少なくとも部分的に閉鎖されている。
【００１６】
本発明のこの実施形態の開示内容は、本発明の他の進歩的な実施形態にも適用され、その逆も同様である。
【００１７】
内側部材への多孔質部材の接合の後、得られたドラムアセンブリは、好ましくは、さらに機械加工されることになる。好ましくは、ドラムアセンブリの外径は、その最終直径に機械加工され、および／またはドラムの外周の孔は、閉鎖され、および／または閉鎖状態で保持されるべきである。このステップ、例えば、研磨によってまたは追加的な機械加工ステップによって、ドラムは、その最終直径を得ることになる。
【００１８】
孔は、例えば、適切な砥石車および適切な研磨パラメータを用いる研磨によって閉鎖されてもよく、および／または、好ましくは深圧延によって閉鎖されてもよい。深圧延中、圧延要素、例えば、ボール、好ましくは、ローラが、閉鎖される多孔質表面、またはドラムアセンブリの場合、ドラムの外面に押し付けられる。ローラによって生じた圧縮が接触領域に応力をもたらし、これによって、この領域が降伏点を超え、型ドラムの表面層に塑性変形が生じる。多孔質インサートの孔は、この作用によって閉鎖されることになる。追加的な利点は、表面層の密度が高まることによって、この層の強度および耐摩耗性が増大することである。ここで、このドラムは、貯蔵される。ドラムの注文が生じた時点で、所望の製品キャビティが機械加工によって形成されることになる。
【００１９】
追加的または代替的に、多孔質部材の孔は、ショットピーニングによって少なくとも部分的に閉鎖されるようになっている。ショットピーニングは、多孔質材料の表面の孔を閉鎖するためにおよび／または残留層をもたらすために用いられる冷間加工プロセスである。ショットピーニングは、塑性変形をもたらすのに十分な力によってショット（丸い金属、ガラス、またはセラミック粒子）を表面に衝突させることを含んでいる。ショットピーニングは、摩滅よりはむしろ塑性の機構によって機能し、具体的には、各粒子が孔を閉鎖するボールピーンハンマーとして機能する点を除けば、サンドブラストと同様である。
【００２０】
本発明のこの実施形態の開示内容は、本発明の他の進歩的な実施形態にも適用され、その逆も同様である。
【００２１】
本発明の他の好ましいまたは進歩的な実施形態によれば、型ドラムは、内側円筒と、少なくとも１つの多孔質部材と、円筒と多孔質部材との間の少なくとも１つのリブとを備えており、リブは、形状嵌合および／または圧力嵌合または接着剤結合によって円筒に接続されている。
【００２２】
本発明のこの実施形態の開示内容は、本発明の他の進歩的な実施形態にも適用され、その逆も同様である。
【００２３】
好ましくは、リブは、ろう付けによって、多孔質部材および／または内側円筒に接続されている。
【００２４】
各リブを利用することによって、多孔質部材と内側円筒との間に一定の距離をもたらすことができ、多孔質部材を支持し、流路をもたらし、および／または多孔質材料を通る流体流れを少なくとも部分的に遮ることができる。
【００２５】
本発明の他の好ましいまたは進歩的な実施形態によれば、多孔質部材は、リブを部分的に収容する凹部を備えており、該リブは、好ましくは２つの製品キャビティ間の流体交換を低減させるようになっている。
【００２６】
本発明のこの実施形態の開示内容は、本発明の他の進歩的な実施形態にも適用され、その逆も同様である。
【００２７】
本発明の他の好ましいまたは進歩的な実施形態は、内側円筒と、少なくとも１つの多孔質部材と、円筒と多孔質セグメントとの間の少なくとも１つのリブと、を備える食品成形ドラムであって、リブ内に流路が設けられている、食品成形ドラムである。
【００２８】
本発明のこの実施形態の開示内容は、本発明の他の進歩的な実施形態にも適用され、その逆も同様である。
【００２９】
リブ内の流路は、好ましくは、多孔質材料に向かって開いている。流路の断面積は、例えば、Ｕ字状またはＶ字状に形作られている。この流路は、例えば、圧力媒体または真空源に接続されている。真空に起因して、１つのキャビティ列から次のキャビティ列に流れようとする空気を少なくとも低減させることができる。
【００３０】
本発明の好ましいまたは進歩的な実施形態によれば、食品成形ドラムは、多数の好ましくは多孔質の製品キャビティ列を備えており、ドラムは、ドラムを回転させるための少なくとも２つの形状嵌合手段をさらに備えており、該形状嵌合手段は、互いに異なる形状を有することができるようになっている。
【００３１】
本発明のこの実施形態の開示内容は、本発明の他の進歩的な実施形態にも適用され、その逆も同様である。
【００３２】
ドラムの一部である形状嵌合手段は、回転手段、例えば、モータおよび／またはギアボックスに付随して設けられた対応する形状嵌合手段と協働するようになっている。形状嵌合手段は、回転手段からのモーメントをドラムに伝達させるものである。ドラムの形状嵌合手段、従って、回転手段の形状嵌合手段が、互いに異なる少なくとも２つの形状嵌合手段から構成されているので、ドラムは、食品成形装置の回転手段にのみ接続可能になっている。従って、回転手段の回転位置に対するドラムの回転位置は、一定であり、本発明の装置の制御システムによって検知されることになる。
【００３３】
本発明の他の好ましいまたは進歩的な実施形態は、多数の製品キャビティ列を備えており、各列が１つまたは多数の製品キャビティを備えており、製品キャビティは、相互接続孔を有する多孔質材料から作製された１つまたは複数の少なくとも部分的に多孔質の部材として設けられており、該部材は、少なくとも１つの接続領域において内側部材に直接的または間接的に接続されており、この接続は、接着剤接続および／または形状嵌合手段および／または圧力嵌合手段および／または摩擦嵌合手段によってなされている、食品成形ドラムである。
【００３４】
本発明のこの実施形態の開示内容は、本発明の他の進歩的な実施形態にも適用され、その逆も同様である。
【００３５】
本発明のこの主題によれば、多孔質部材は、内側部材、例えば、内側円筒のリブに直接的または間接的に接続されている。この接続は、接着剤接続および／または形状嵌合手段および／または圧力嵌合手段および／または摩擦嵌合手段とすることができる。特に、例えば、半田付けおよび／またはろう付けによる接着剤接続と形状接続および／または圧力接続および／または摩擦接続との組合せが好ましい。
【００３６】
形状手段および／または圧力手段および／または摩擦手段は、金属および／またはプラスチック材料から作製することができる。形状手段および／または圧力手段および／または摩擦手段の材料は、多孔質部材とドラムまたはドラムのリブとの間に（後で固化する）液体として挿入されてもよい。
【００３７】
内側部材は、好ましくは、円筒、好ましくは、多孔性部材が接続される凹みおよび／またはリブを有する円筒である。
【００３８】
多孔質部材と内側部材との間の可能な形状接続および／または圧力接続および／または摩擦接続は、国際特許出願公開第２０１２／１０７２３６号、特にその図１３および対応する記述に開示されている。この特許出願の開示内容は、参照することによってここに含まれ、本特許出願の開示の一部をなすものとする。
【００３９】
各多孔質部材は、１つまたは複数の個別の形状手段および／または圧力手段および／または摩擦手段によって、内側部材に固定されてもよいし、または１つの形状手段および／または圧力手段および／または摩擦手段が、多数の多孔質部材を内側部材を固定するようになっていてもよい。好ましくは、１つの形状嵌合手段および／または圧力嵌合手段および／または摩擦嵌合手段は、多数の多孔質部材を貫通しており、さらに好ましくは、内側部材を全軸方向長さにわたって貫通している。
【００４０】
好ましくは、形状嵌合手段および／または圧力嵌手段合および／または摩擦嵌合手段は、多孔質部材と形状嵌合手段および／または圧力嵌合手段および／または摩擦嵌合手段および／または内側部材との間に予張力をもたらすようになっている。これは、例えば、主要な部材および／または多孔質材料の開口の直径よりも大きい直径を有する形状手段および／または圧力手段および／または摩擦手段をもたらすことによって、達成することができる。形状手段および／または圧力手段および／または摩擦手段は、この開口内に圧入され、これによって、内側部材に対して多孔質部材に予張力を与えることができる。
【００４１】
好ましくは、各多孔質部材は、内側部材における２つの形状嵌合手段および／または圧力嵌合手段および／または摩擦嵌合手段によって、固定されるようになっている。
【００４２】
本発明の他の進歩的なまたは好ましい概念によれば、食品成形ドラムは、多数の好ましくは多孔質の製品キャビティ列を備えており、該ドラムは、成形装置に回転可能に軸支されるようになっており、該ドラムは、その先端の少なくとも１つに切頭円錐を備えている。
【００４３】
本発明のこの実施形態の開示内容は、本発明の他の進歩的な実施形態にも適用され、その逆も同様である。
【００４４】
食品成形ドラムが食品成形装置内に配置された後、好ましくは、この円錐は、食品成形装置、好ましくは、食品成形装置の側部に設けられた円錐に少なくとも部分的に形状嵌合し、これによって、食品成形ドラムを回転させるトルクをもたらすことになる。
【００４５】
本発明の他の好ましいまたは進歩的な実施形態は、それ故、シール部材、好ましくは、柔軟プレートと食品成形ドラムとを有する食品成形装置であって、その駆動側および支持側に成形食品ドラム用の切頭円錐を備えている、食品成形装置である。
【００４６】
本発明のこの実施形態の開示内容は、本発明の他の進歩的な実施形態にも適用され、その逆も同様である。
【００４７】
食品成形ドラムおよび／または食品成形装置の切頭円錐を利用して、食品成形ドラムを食品成形装置に心出し、取付け、好ましくは、締付け、および／または固定することができる。
【００４８】
本発明の他の好ましいまたは進歩的な実施形態は、多数の多孔質製品キャビティ列を有する多孔性部材（７８）を備えており、各列が多数の多孔質製品キャビティを備えており、ガスを用いて、キャビティを洗い流し、および／または成形された製品をキャビティから取り出し、および／または流体を用いて、キャビティを洗浄するようになっており、多孔質部材は、２つの列間および／または２つの通路間において多孔質部材を通るガスおよび／または流体の交換を可能にするように設計されている、食品成形ドラムである。
【００４９】
本発明のこの実施形態の開示内容は、本発明の他の進歩的な実施形態にも適用され、その逆も同様である。
【００５０】
この流体流れに起因して、２つのキャビティ列間のガス交換が可能である。付加的または代替的に、洗浄流体を１つのキャビティ列から他のキャビティ列に多孔質部材を通して流すこともできる。
【００５１】
本発明の他の好ましいまたは進歩的な実施形態は、多数の多孔質製品キャビティを有す多孔質部材を備えており、各列が多数の多孔質製品キャビティを備えており、該ドラムは、さらに減圧源を備えており、この減圧源は、２列の領域内において多孔質部材に接続されており、例えば、成形された製品の排出中に２つの互いに隣接する列間のガス交換を低減させるようになっていることを特徴とする、食品成形ドラムである。
【００５２】
本発明のこの実施形態の開示内容は、本発明の他の進歩的な実施形態にも適用され、その逆も同様である。
【００５３】
好ましくは、成形された製品は、ガス、好ましくは、空気を型キャビティの底および／または側壁を通して放出することによって、型キャビティから取り出されるようになっている。この放出中、空気が非意図的に隣接する列に入ることを避けるために、負圧が互いに隣接する２つのキャビティ列間の領域または空間に加えられることが可能になっている。
【００５４】
本発明の他の好ましいまたは進歩的な実施形態は、食品成形ドラムおよびドラムの周面に当接する柔軟プレートを備える食品成形装置であって、ドラムおよび／または柔軟プレートは、識別手段を備えており、該識別標識に基づいて、装置の操作パラメータが自動的に設定されるようになっており、および／または柔軟プレートおよびドラムが適合しているかどうかが検証されるようになっている、食品成形装置である。
【００５５】
本発明のこの実施形態の開示内容は、本発明の他の進歩的な実施形態にも適用され、その逆も同様である。
【００５６】
柔軟プレートは、ドラムの半径方向表面に当接し、食品塊がキャビティに充填されるときに通るマニホールドの周りに延在し、食品塊のためのシールとして機能する。プレートは、食品成形ドラムの表面に加圧される。プレートは、柔軟であり、これによって、ドラムの表面との接触面積が最大化されることになる。
【００５７】
この実施形態によれば、柔軟プレートおよび／または食品成形ドラムは、識別標識、例えば、ＲＦＩＤ，バーコード、などを備えている。この識別標識は、手動によってまたは自動的に食品成形装置の制御システム内に入力可能になっている。この識別標識に基づいて、食品成形ドラムが柔軟プレートに適合しているかどうか、例えば、柔軟プレートの長さおよび／または幅が食品成形ドラムに適合しているかどうかを検証することが可能である。もし適合していないなら、食品成形装置は、始動せず、および／または警告が発せられることになる。
【００５８】
代替的または付加的に、食品成形装置の操作パラメータ、例えば、製品の送給圧、ドラムの回転速度、製品を型キャビティから取り出すために各キャビティに放出されるガスの量、充填が完了した後に維持または設定される圧力、および／または製品がドラムから取り外される回転位置は、自動的に設定されるようになっている。これによって、食品成形装置の操作中に、機械の作業員の労力を減らし、および／または間違いおよび／または事故を避けることができる。
【００５９】
本発明の他の好ましいまたは進歩的な主題は、多孔質部材を備えており、該多孔質部材は、互いに接合された互いに異なる２つの質を有しており、食品成形ドラムの表面の層は、この外層の内側の層よりも低い多孔質を有している、食品成形ドラムである。
【００６０】
本発明のこの実施形態の開示内容は、本発明の他の進歩的な実施形態にも適用され、その逆も同様である。
【００６１】
本発明のこの実施形態によれば、多孔質部材の外層は、好ましくは、内層よりも高密度構造を有しており、例えば、箔、圧延プレート、または薄壁管とすることができる。これは、多孔質部材の外周の孔を閉鎖するプロセスステップが省かれるので、有利である。また、互いに異なる粉末をモールド内に供給し、加圧および焼結によって２層構造体をもたらすことによって、多孔質部材からなる層構造、例えば、多孔質ドラムを作製することもできる。この場合、外層が少なくとも本質的に閉鎖され、これによって、圧縮空気がこの層を通して流出することができなくなっている。焼結プロセス後、多孔質基部は、外層に付着する。多孔質キャビティは、所望のキャビティ位置において外層および内層を少なくとも部分的に除去することによって、作製される。
【００６２】
好ましい実施形態では、外層は、インサートの端面の一方または両方において少なくとも部分的に周方向に設けられている。周方向両端面における外層は、インサートおよび／またはドラムの他の部分間の接合に有利である。インサートの２つの軸方向端面における外層は、この位置においてインサートを封止するので有利である。
【００６３】
外層は、例えば、箔またはプレートであってもよいし、またはモールド内に互いに異なる粉末を供給し、加圧および焼結によって閉構造をもたらすことによって、作製することができる。焼結プロセスの後、多孔質基部は、外層に付着することになる。
【００６４】
本発明の他の好ましいまたは進歩的な主題は、内側円筒と、少なくとも１つの多孔質部材と、円筒と多孔質部材との間の少なくとも１つのリブとを備えており、リブは、形状嵌合および／または圧力嵌合および／または接着剤結合によって、円筒に接続されており、リブは、円筒に対して移動可能に設けられている、食品成形ドラムである。
【００６５】
本発明のこの実施形態の開示内容は、本発明の他の進歩的な実施形態にも適用され、その逆も同様である。
【００６６】
２つの多孔質セグメント間のリブの移動および／または変形に起因して、リブは、焼結プロセス後またはその最中の多孔性セグメントの収縮中に、多孔質セグメントに追従することができる。
【００６７】
従って、リブと多孔質材料との間の接続、特に材料結合は、損傷されずおよび／または過剰な負荷を受けないことになる。円筒に対するリブの動きは、好ましくは、回転である。
【００６８】
好ましくは、リブは、変形可能に設けられている。これは、比較的低弾性係数の比較的軟質な材料からなるリブおよび／または比較的薄いリブおよび／または所望の方向におけるリブの変形を改良する凹み、ノッチなどのような構造手段によって、達成することができる。
【００６９】
本発明の進歩的なまたは好ましい実施形態によれば、各リブは、２つの部分として設けられている。
【００７０】
本発明のこの実施形態の開示内容は、本発明の他の進歩的な実施形態にも適用され、その逆も同様である。
【００７１】
２つの部品は、好ましくは、鏡面対称になっており、いずれもドラムの全長にわたって延在している。両部品は、好ましくは、円筒に接続されている。好ましくは、２つの部品間に間隙が設けられており、該間隙は、好ましくは、半径方向に延在している。多孔質材料の収縮中に、この間隙の大きさ、特に、その幅が増大する。好ましくは、間隙は、収縮が終了した後、溶接によって閉鎖および／または充填されるようになっている。
【００７２】
好ましい実施形態では、２つのリブ間の多孔質部材が圧縮されるように、間隙の大きさが収縮の程度を超えて増大されるようになっている。これは、例えば、機械的または熱的な力によって、達成することができる。続いて、この間隙は、例えば、溶接材料によって充填され、これによって、間隙がその所望の形状に固定され、その結果、多孔質セグメントが圧縮状態に維持されることになる。
【００７３】
本発明の他の好ましいまたは進歩的な実施形態は、食品成形ドラムは、スピンドルを中心として回転するようになっており、該スピンドルは、好ましくは、ドラムと一緒に取り外されるように設計されている、食品成形装置である。
【００７４】
本発明のこの実施形態の開示内容は、本発明の他の進歩的な実施形態にも適用され、その逆も同様である。
【００７５】
本発明のこの実施形態によれば、食品成形ドラムは、本発明の食品成形装置に接続されたスピンドルを中心として回転するようになっている。食品成形ドラムが、例えば、製品交換または洗浄目的のために取り外されねばならない場合、ドラムは、スピンドルと一緒に取り外されるようになっている。スピンドルを取り外す前に、スピンドルは、食品成形装置から離脱されねばならない。
【００７６】
ドラムと一緒にスピンドルを取り外すことは、食品成形装置を良好に洗浄することができる点、およびスピンドルを利用してドラムを移送台車上に支持することができる点において、有利である。
【００７７】
好ましくは、スピンドルは、支持構造体およびドラム用軸受を備える製造支持手段の一部である。この製造支持手段は、食品成形ドラムを食品成形装置上に支持するようになっている。さらに好ましくは、この製造支持手段の全体が、ドラムと一緒に取り外されるようになっている。
【００７８】
本発明の他の好ましいまたは進歩的な実施形態は、シール部材、好ましくは、柔軟プレートと、軸受によってスピンドルに軸支された食品成形ドラムとを備えており、シール部材および軸受は、力閉鎖システムをもたらすように機械的に接続されている、食品成形装置である。
【００７９】
本発明のこの実施形態の開示内容は、本発明の他の進歩的な実施形態にも適用され、その逆も同様である。
【００８０】
シール部材、例えば、柔軟プレートは、ドラムの半径面に当接し、食品塊がキャビティに充填されるときに通るマニホールドの周りに延在しており、食品塊のためのシールとして機能する。プレートは、食品成形ドラムの表面に加圧される。プレートは、柔軟であり、これによって、ドラムの表面との接触面積が最大化されることになる。
【００８１】
閉鎖力システムに起因して、食品成形装置のフレームに吸収される力が減少し、および／またはシール部材とドラムの半径方向周囲と接触がより緊密になる。
【００８２】
本発明の他の好ましいまたは進歩的な実施形態は、食品成形ドラムの一部である多孔質部材であって、ドラムの中心軸と平行に延在する埋設された流路および／または支持領域を備えている、多孔質部材である。
【００８３】
本発明のこの実施形態の開示内容は、本発明の他の進歩的な実施形態にも適用され、その逆も同様である。
【００８４】
本発明のこの実施形態によれば、多孔質材料は、埋設された流路を備えている。この流路は、多孔質材料の孔ではなく、好ましくはドラムの回転軸と平行に延在して１つの列の型キャビティを互いに流体接続する通路である。このような流路を介して、ガスを１つの列の型キャビティに供給し、製品をこれらの型キャビティから排出させることができ、および／またはこの流路を介して、充填中に型キャビティを通気させることができる。流路は、好ましくは、多孔質材料または多孔質部材を作製するために用いられる形状部の一部に機械加工によって形成されるようになっている。
【００８５】
本発明の他の好ましいまたは進歩的な実施形態は、ドラムを移送する可動ユニットであって、製造支持手段用の支持フレームを備えており、製造支持手段は、スピンドルおよびスピンドルを軸支する支持構造体を備えている、可動ユニットである。  
【００８６】
本発明のこの実施形態の開示内容は、本発明の他の進歩的な実施形態にも適用され、その逆も同様である。
【００８７】
可動ユニットは、製造支持手段の全体を取り付けることができる支持フレームを備えるように、設計されている。この製造支持手段は、好ましくは、型ドラムが貯蔵装置内に貯蔵されている場合および／またはドラムが洗浄ユニット内において洗浄されている場合、可動ユニットに残されている。
【００８８】
本発明の他の主題は、食品成形ドラムの製造支持構造体が接続されるフレームを備える食品成形装置において、食品成形ドラムを取り換える方法であって、ドラムは、製造支持手段と一緒に取り換えられるようになっている、方法である。
【００８９】
本発明のこの実施形態の開示内容は、本発明の他の進歩的な実施形態にも適用され、その逆も同様である。
【００９０】
本発明の他の主題は、回転する食品成形ドラムを軸支するスピンドルを備える食品成形装置を洗浄する方法であって、該スピンドルは、洗浄する前に、好ましくは、ドラムと一緒に取り外されるようになっている、方法である。
【００９１】
本発明のこの実施形態の開示内容は、本発明の他の進歩的な実施形態にも適用され、その逆も同様である。
【００９２】
本発明の他の主題は、多数の型キャビティ列を有する型ドラムを備える食品成形装置を運転する方法であって、各列は、周囲圧に対して正圧または負圧の媒体を受けることができる通路に接続されている、方法において、互いに隣接する２つの通路において、１つの通路は、正圧の媒体を受け、隣接する通路は、負圧の媒体を受けるようになっていることを特徴とする、方法である。
【００９３】
本発明のこの実施形態の開示内容は、本発明の他の進歩的な実施形態にも適用され、その逆も同様である。この実施形態によれば、あるキャビティ列からの製品の排出中に、隣接する列における製品が、製品キャビティから非意図的に取り外されることが回避されることになる。
【００９４】
本発明の他の主題は、内側円筒および焼結された粉末から作製された多孔質部材を備える食品成形ドラムを作製する方法であって、粉末は、内側円筒および／または内側円筒の一部であるリブに直接供給されるようになっている、方法である。
【００９５】
本発明のこの実施形態によれば、多孔質材料の焼結は、その場で、すなわち、内側部材、例えば、ドラムの内側円筒に対して行なわれるようになっている。粉末、例えば、金属粉末の加圧および焼結の後、多孔質構造体がもたらされ、次いで、製品キャビティを形成し、および／または表面の孔を閉鎖することができる。
【００９６】
多孔質部材は、単片または複数片から作製された円筒であってもよいし、または、各々が１つまたは複数のリブ間および／または上方に配置された多数のインサートであってもよい。
【００９７】
多孔質部材は、好ましくは、焼結された材料、好ましくは、焼結された金属から作製されている。
【００９８】
各リブは、内側部材と一緒の単一片として設けられてもよいし、または各リブは、例えば、接着剤接続によって内側部材に取付けられてもよい。
【００９９】
好ましくは、内側部材の回転軸は、鉛直軸と平行に配置されるようになっている。
【０１００】
本発明の好ましい実施形態によれば、多孔質材料は、２つ以上の層を備えている。２つの層は、同じ材料から作製されてもよいし、または互いに異なる材料から作製されてもよい。しかし、さらに好ましくは、材料が互いに異なっているとよい。好ましくは、２つの層は、それらの多孔率が互いに異なっている。好ましくは、２つの層は、同軸に設けられるとよい。
【０１０１】
好ましくは、２つの層は、連続的に作製されるようになっている。最初、内層が作製され、次いで、外層が作製される。その後、型キャビティがこれらの多孔質層に機械加工によって形成されることになる。
【０１０２】
本発明の他の好ましいまたは進歩的な主題は、内側円筒と、多数のリブと、焼結された粉末から作製され、２つのリブ間にそれぞれ設けられている多孔質部材と、を備える食品成形ドラムを作製する方法であって、リブは、多孔質部材の焼結中または後に、特に収縮力に起因して、内側円筒に対して移動し、および／または変形するようになっている、方法である。
【０１０３】
好ましくは、特にリブ間またはリブの２つの部分間において、リブの移動および／または変形によって生じたリブ内またはリブ間の間隙が、閉鎖されるようになっている。これは、例えば、溶接材料のような充填材料を供給し、さらに好ましくは、その後で機械加工することによって、達成することができる。
【０１０４】
本発明の他の主題は、内側部材および多孔質部材を備えており、多孔質部材は、粉末材料から作製された２つの層を備えている、型ドラムである。
【０１０５】
本発明のこの実施形態の開示内容は、本発明の他の進歩的な実施形態にも適用され、その逆も同様である。
【０１０６】
これらの層は、同じ材料から作製されてもよいし、または互いに異なる材料から作製されてもよい。これらの層は、同じようにまたは異なって、例えば、熱処理および／または圧力処理されてもよい。
【０１０７】
好ましくは、これらの層は、少なくとも部分的に同軸に設けられ、外層は、内層よりも低い多率率を有している。さらに好ましくは、外層の材料は、内層の材料よりも強く圧縮されるようになっている。  
【０１０８】
さらに他の好ましいまたは進歩的な実施形態によれば、多孔質部材は、その場で内側部材に対して作製されるようになっている。
【０１０９】
本発明のその場手段によれば、多孔質部材は、好ましくは、焼結によって内側部材に対して作製されるようになっており、多孔質層は、別体として作製されてその後に互いに取り付けられるようになっていない。内側部材からの多孔質部材の分解は、多孔質部材を破壊しない限り、不可能である。
【０１１０】
本発明のこの実施形態の開示内容は、本発明の他の進歩的な実施形態にも適用され、その逆も同様である。
【０１１１】
好ましくは、各多孔質部材は、２つの層を備えており、これらの層は、さらに好ましくは、その場で作製されるようになっている。
【０１１２】
本発明の他の主題は、本発明のプロセスによって偉える食品成形ドラムである。
【０１１３】
本発明の他の進歩的なまたは好ましい主題は、食品材料の塊から製品を成形するためのシステムであって、本発明の食品成形装置および／または本発明の可動ユニットおよび／または製造支持手段および／またはドラムおよび／または本発明の洗浄装置および／または貯蔵ユニットを備えている、システムである。
【０１１４】
本発明のこの実施形態の開示内容は、本発明の他の進歩的な実施形態にも適用され、その逆も同様である。
【０１１５】
本発明の他の好ましいまたは進歩的な主題は、本発明の食品成形装置、製造支持手段、および食品成形ドラムを備える食品成形システムである。
【０１１６】
本発明のこの実施形態の開示内容は、本発明の他の進歩的な実施形態にも適用され、その逆も同様である。
【０１１７】
本発明の他の好ましいまたは進歩的な主題は、可動ユニットおよび製造支持手段を備える移送システムである。
【０１１８】
本発明のこの実施形態の開示内容は、本発明の他の進歩的な実施形態にも適用され、その逆も同様である。
【０１１９】
食品成形ドラムは、製造支持手段と一緒に食品成形装置から取り外され、洗浄ユニットおよび／または貯蔵ユニットに移動可能になっている。
【０１２０】
本発明の他の好ましいまたは進歩的な主題は、洗浄装置および食品成形ドラムを備える洗浄システムである。
【０１２１】
本発明のこの実施形態の開示内容は、本発明の他の進歩的な実施形態にも適用され、その逆も同様である。
【０１２２】
本発明の他の好ましいまたは進歩的な主題は、貯蔵ユニットおよび食品成形ドラムを備える貯蔵システムである。
【０１２３】
以下、図１〜図２０ｃによって、本発明を開示する。これらの説明は、本発明の保護の範囲を制限するものではない。これらの説明は、本発明の全ての実施形態に同じように適用されることになる。
【図面の簡単な説明】
【０１２４】
【図１】本発明の食品成形装置を示す図である。
【図２−８】本発明の食品成形ドラムの種々の実施形態を示す図である。
【図９】インサートの製造を示す図である。
【図１０】本発明の食品成形装置を示す図である。
【図１１−１２】可動ユニットを示す図である。
【図１３】製造支持手段の詳細を示す図である。
【図１４ａ−１４ｅ】食品成形装置におけるドラムの固定を示す図である。
【図１５】食品成形装置の支持側および駆動側におけるドラムの固定を示す図である。
【図１６ａ−１６ｂ】食品成形装置の流体制御を示す図である。
【図１７−１９ｂ】食品成形ドラムの洗浄を示す図である。
【図２０ａ−２０ｃ】成形された製品の排出を示す図である。
【発明を実施するための形態】
【０１２５】
図１は、成形装置２９と、塊を成形装置に供給するための塊供給システム１００と、塊を型ドラム１に分配するための食品塊送給部材１０１とを有するレイアウトを示している。製造中に塊の漏れを防ぐために、型ドラムの表面を密封するようにドラムの表面の周りに当接するシール部材が設けられている。型ドラム１は、製品キャビティ２を備えている。型ドラムは、一端に駆動側１９を備えている。駆動側１９は、モータ手段に接続されており、該モータ手段は、好ましくは、成形装置内に配置されている。以下、支持側とも呼ばれる反対側１８において、ドラムは、成形装置のフレームに支持されている。
【０１２６】
ドラム１は、基本的に、内側部材７７および少なくとも部分的に多孔質のインサートを備えている。この例では、内側部材は内側円筒７５および多数のリブ７６を備えている。互いに隣接する２つのリブは、この例では、凹部を形成している。インサートは、好ましくは、内側部材７７の凹部内に不可逆的に固定されている。好ましい固定技術に関して、国際特許出願公開第２０１２／１０７２３６号を参照されたい。この文献の内容は、参照することによって、ここに含まれ、本開示の一部をなすものとする。
【０１２７】
型ドラムは、好ましくは、２つの主部、すなわち、内側部材７７および多孔質インサート７８を備えている。この例では、内側部材７７は、内側円筒７５（例えば、厚肉の好ましくはステンレス鋼管７５）および１つまたは複数のリブ７６を備えている。リブ７６および内側円筒は、例えば、回転鋳造された一部品として設けられてもよいし、または管として設けられてもよく、この場合、２つのリブ７６間の必要な凹部は、機械加工、好ましくは、フライス加工によって得られることになる。内側部材は、ステンレス鋼管であってもよく、この場合、必要なドラム設計、例えば、リブ７６は、予め鋳造されたものであってもよいし、または単一品として焼結されたものであってもよい。図２ａは、内側部材７７の他の実施形態を示している。内側円筒７５は、例えば、厚肉のステンレス鋼管とすることができる。このステンレス鋼管は、回転鋳造によって作製されてもよいし、または市販の管であってもよい。リブは、接着接続、例えば、溶接、好ましく、レーザー溶接によってステンレス鋼管に接続されることになる。
【０１２８】
リブ７６を管に接続した後、このプリアセンブリは、好ましくは、機械加工前の状態にある。多孔質インサート７８も、好ましくは、機械加工前の状態にあり、この後、両者は、例えば、真空炉内におけるろう付けによって、互いに固定して接続されることになる。接着剤またはステンレス鋼エポキシのような他の接合手段も可能である。溶接、好ましくは、レーザー溶接が用いられてもよい。インサートは、ドラムの外面／外径において、インサートの全長にわたってリブ７６に溶接されることになる。溶接前、接着剤またはステンレス鋼エポキシのような他の接合手段を用いて、インサートとリブとの間の接触領域が封止されてもよい。この接合手段は、食品産業における使用が認可されていなければならなく、かつ製造中および／または洗浄中に外力、圧力、温度、および／または化学薬品に対して耐性を有していなければならない。
【０１２９】
図２ｂには、本発明のさらに他の実施形態が示されている。管７５，リブ７６，およびインサート７８の全てが、一回の段取りにおいて、好ましくは、ろう付けによって互いに接続されている。これによって、特に機械加工時間が著しく節約される。この段取りにおいて、リブを機械加工する必要がない。加えて、溶接応力によるアセンブリの変形が回避される。ろう付け材料は、リブ７６と管７５との間およびリブ７６とインサート７８との間に施されることになる。
【０１３０】
用いられる接合機構に依存して、インサートの孔は、好ましくは、接合位置７３において閉鎖され、これによって、例えば、接合材料が多孔質材料内に侵入するのを防ぐことができる。さらにドラムの外面に現れるインサートの表面の孔および／またはインサートの両先端の孔も閉鎖することができる。内側円筒７５へのリブ７６の接着プロセス、好ましくは、ろう付けおよび／またはリブ７６へのインサート７８の接着の後、型ドラムは、好ましくは、さらに機械加工されることになる。例えば、ドラムの両先端３，４の一方または両方が、好ましくは、機械加工され、および必要に応じておよび／またはまだ機械加工されていないときに、ドラム先端３，４に開いている多孔質インサート７８の孔が、好ましくは、閉鎖されるとよい。この閉鎖は、例えば、後述する深圧延および／または溶射によって行うことができる。
【０１３１】
例えば、洗浄液を各通路８に分配する分配手段９が、好ましくは、管７５内および／または多孔質インサート７８内に機械加工によって形成され、および／またはトルクをドラムに伝達する形状嵌合手段７が、好ましくは、管７５内に機械加工によって形成されるようになっている。
【０１３２】
図２ｃは、インサートを用いることなく、内側部材７７の２つのリブ７６間の凹部内に粉末を直接供給することによって、ドラムを製造する実施形態を示している。加圧および焼結の後、多孔質構造体が得られ、該多孔質構造に製品キャビティ２が形成され、および／または表面の孔が閉鎖されることになる。多孔質材料とリブとの間の接触面に主に依存して、リブは、多孔質材料とリブとの間の接続を改良する凹部７２ａを備えることができる。
【０１３３】
通路８を形成するために、各列ごとに、充填材／挿入物６８を空間保持体として用いることができる。この空間保持体は、多孔質材料を焼結によって得るための粉末が通路８用の空間に入るのを避けるものである。この充填材／挿入物は、好ましくは、粉末の加圧中外力に耐えることができる硬質材料である。さらに好ましくは、充填材／挿入物は、加圧後および焼結前にこれらの充填材／挿入物が多孔質構造体を損傷することなく除去されるために、通路から容易に取り除かれることが可能な微粒子材料である。
【０１３４】
他の実施形態では、図２ｃ−２から図２ｃ−４に示されているように、多孔質構造体の下に通路８を形成するために、気体および／または流体透過性構造体７２ｂが用いられている。透過性構造体は、加圧および／または焼結の前および／またはその最中、および／またはその後、すなわち、後続のドラムの機械加工中および／またはドラムによる成形品の製造中に、多孔質粉末を支持することになる。この支持構造体は、空気および／または洗浄流体が多孔質構造体に入り、および／または多孔構造から出ることを可能にするために、ガス、特に、空気および／または流体に対して透過性でなければならない。好ましくは、支持構造体の透過性は、多孔質材料の透過性よりも大きい。しかし、好ましくは、この透過性は、インサートを焼結によって得るための粉末が支持構造体によって支持される程度に小さいものである。この透過性支持構造体は、例えば、基本的に意図される多孔性構造体の透過性よりも大きい透過性を有するワイヤメッシュに基づいて作製することができる。これは、空気および／または流体、特に、洗浄流体がこの透過性構造体によって遮らえることを防ぐためである。ワイヤメッシュは、例えば、０．４ｍｍ直径のワイヤを有することができる。メッシュ構造は、例えば、２００μｍの透過率を有している。選択された透過性構造体、例えば、ワイヤメッシュが粉末加圧中の負荷に耐えるのに十分剛性でない場合、該透過性構造体は、好ましくは、透過性構造の多数の層、さらに好ましくは、例えば、炉内の焼結によって互いに接続される透過性構造の多数の層からなる層部をもたらすことによって、補強されてもよい。しかし、得られる透過性構造体は、得られる多孔性構造体の透過率よりも依然として大きい透過率を有するべきである。
【０１３５】
通路８は、好ましくは、ドラムの全長にわたって均一な断面を有している。従って、リブ７６および管７５の外径に対するワイヤメッシュの位置も、好ましくは、均一である。図２ｃ−３および図２ｃ−４は、透過性構造体、ここでは、ワイヤメッシュの外端を受け入れ、これによって、透過性構造体の位置、ここでは、高さをリブの位置に固定する手段、ここでは、凹部７２ｃが設けられている実施形態を示している。これによって、通路８の均一な高さが確実に得られることになる。付加的または代替的に、透過性構造体は、材料嵌合、例えば、溶接によって、リブに接続されてもよい。透過性構造体は、他の位置「Ｍ」、ここでは、２つのリブ間の通路の中心に支持されてもよい。これは、例えば、延長部、例えば、多数の（好ましくは丸形状の）ロッドを管７５の外径に（好ましくはその全長にわたって）設けることによって、具体的には、これらのロッドを、例えば、それらのヘッド端において、管７５の外径に接続することによって、達成されることになる。ワイヤメッシュは、溶接または接着によって、これらの延長部に接続されるとよい。後続のステップにおいて、延長部を含む通路領域を、充填材料、例えば、粉末材料によって充填することができる。この充填材料は、多孔性材料を焼結によって得るための粉末の加圧中外力に耐えることができるものである。加圧後および焼結後に、この充填材料は、除去されねばならない。
【０１３６】
図２ｈにおいて説明するように、多孔質材料を透過性構造体とモールドの外側部材６９との間に供給するとき、用いられる粉末が透過性構造体内に侵入する可能性がある。しかし、これは、好ましくは、多孔質構造体を作製するための粉末の平均直径よりも小さい開口を有する適切な透過性構造体を選択することによって、回避することができる。
【０１３７】
成形品の製造中に、多孔質構造体には、ドラムの外面のみならず、下方から、例えば、通路８からも、負荷が加えられることになる。比較的弱い多孔質構造体は、変形してリブと透過性構造体との間の接続によって、その場に保持されることになる。透過性構造体の機械的特性は、好ましくは、ドラムの全長にわたってワイヤメッシュをリブに対して材料嵌合、好ましくは、溶接することによって、さらに高めることができる（７２ｄ参照）。
【０１３８】
ドラムの製造の最終ステップにおいて、ドラムアセンブリの外径は、その最終直径に機械加工され、まだ機械されていないときに、ドラムの外周の孔が閉鎖され、および／または閉鎖状態で維持されることになる。このステップにおいて、例えば、研磨または追加的な機械加工ステップによって、ドラムは、その最終直径を得ることになる。
【０１３９】
例えば、適切な研磨パラメータに基づく適切な砥石車を用いる研磨によって、孔を閉鎖することができる。あるいは、例えば、深圧延によって、孔を閉鎖することができる。深圧延中、圧延要素、例えば、球、好ましくは、ローラのような円筒の要素が、閉鎖される多孔質表面に押し付けられ、またはドラムアセンブリの場合、好ましくは、ドラムアセンブリのリブ７６を含む外面に対して押し付けられることになる。ローラによってもたらされた圧縮が多孔質材料および／またはリブ７６の表面に応力を生じさせ、この応力が降伏点を超えて、型ドラムの表面層に塑性変形をもたらすことになる。多孔質インサートの孔は、この深圧延によって閉鎖されることになる。深圧延の追加的な利点は、表面層の密度を高め、これによって、この層の強度および耐摩耗性を増大させることにある。成形食品の製造中に、食品塊送給部材１０１のシール部材が、型ドラム１の外面に比較的高圧力下で作用するようになっている。深圧延の結果として、型ドラムの寿命が高められることになる。
ドラムの外面を封止する噴射プロセス、好ましくは、溶射プロセスの使用を記載する国際特許出願公開第２０１２／１０７２３６号を参照されたい。このプロセスにおいて、比較的薄い層が部分的に多孔質外面に施され、この層が多孔質構造体を閉鎖する。その後、所望の表面粗さ、寸法、および公差を達成するために、この層が機械加工されることになる。
この層は、必ずしも金属層である必要がない。食品機械に用いられることが認可されている限り、他の材料が用いられてもよい。さらに、ドラムに加えられる負荷に耐えるのに十分な機械的特性を有する材料が選択されるべきであり、この層は、シール部材、切断部材、および処理された塊によって加えられる外層への摩擦力に起因する摩耗に対して耐性を有するべきである。
【０１４０】
作製済みのドラムを貯蔵することができる。いったんドラムの注文があったなら、所望の製品キャビティが、ドラムの円筒面に機械加工によって形成されることになる。
【０１４１】
図２ｄ〜図２ｆは、その場で、ここでは、多孔質部材７８を作製するための粉末を内側部材７７の２つのリブ７６間の各凹部に直接供給することによって、多孔質部材７８を製造する他の実施形態を示している。図２ｄは、本発明の好ましい実施形態を示している。ここでは、リブ７６は、凹部７２ａを備えている。リブと多孔質材料との間の接続部の全強度は、リブの凹部によって改良されることになる。これらの凹部は、任意選択的である。リブと多孔質部材との間の摩擦を増大させる手段を設けることも可能である。凹部は、多孔質構造体がリブの凹部に形状嵌合および／または圧力嵌合するように、形作られており、これによって、多孔質部材７０とリブとの間の形状嵌合および／または圧力嵌合を改良することができる。凹部の数は、多孔質部分の寸法および／またはドラムの製造および清浄中の負荷に依存することになる。
【０１４２】
多孔質層７０，７１をその場で製造するために、内側部材７７は、その中心軸が好ましくは垂直に配置されるように、位置決めされる。多孔質層７０は、粉末をモールドに加えることによって作製される。モールド、例えば、円筒は、各列ごとに通路８をもたらすために、内側部材７７、好ましくは、充填材／挿入物６８を受け入れることになる。粉末とリブとの間の接合に依存して、多孔質構造体を得るために、粉末が（予）加圧および／または（予）焼結されてもよい。続いて、外層７１が作製される。外層７１は、好ましくは、内側層７０よりも低多孔率を有する構造、例えば、高密度構造を有しており、好ましくは、異なるモールド内に異なる粉末を加えることによって作製され、このモールド内に、内側部材７７および付随する内側多孔質層７０が配置される。従って、外層のための粉末は、内側部材および内側多孔質部材と型との間の間隙内に挿入されることになる。
【０１４３】
図２ｅに示されているドラムは、焼結プロセスによって仕上げられてもよい。その後、キャビティが、型ドラムの外周に、好ましくは、両層７０，７１に機械加工によって形成されることになる。
【０１４４】
焼結プロセスの後、ドラムの直径は、好ましくは、ドラムの所望の直径を超えている。好ましくは、後続の機械加工ステップにおいて、該ドラムは、その最終直径および／またはその最終形状を得ることになる。図２ｆは、焼結プロセスの後およびその後のドラムの製造中に行なわれた外径のさらなる機械加工の後のドラムを示している。ドラムの最終直径は、この機械加工によってもたらされる。この実施形態の利点は、高密度の外層がもたらされている結果として、該ドラムの外面の孔を機械加工ステップなどによって閉鎖する必要がないことにある。
【０１４５】
図２ｇは、内側部材７７の好ましい実施形態を示している。
【０１４６】
図２ｈのモールド７２は、内側部材７７および充填材／挿入物６８からなっており、好ましくは、プレス内に垂直に配置されている。モールドの外側部材６９は、円筒状であり、好ましくは、その直径が可逆的に縮小可能になっている。通路用の空間をもたらす充填材／挿入物６８が、２つのリブ間に設けられている。内側部材７７がモールドの外側部材６９内に位置決めされた後、内側部材７７と外側モールド部材６９との間の間隙が粉末によって充填される。続いて、外側部材が縮径され、これによって、粉末が圧縮され、相互接続孔を有する多孔質構造体が作製されることになる。焼結材料を得るために、圧縮中および／またはその後に熱を加えることができる。図２ｈのこの実施形態によれば、高密度層７１を設けることなく、必要に応じて、高密度外層を設けることができる。
【０１４７】
図２ｉは、多孔質構造体を作製するための供給された粉末の圧縮を示している。矢印によって示されている内力が加えられている。この内力は、例えば、加圧流体によって与えられる。この内力は、内側部材が外側モールド部材６９の外周へのプレス力によって変形するのを防ぐことになる。内側部材７７の剛性および外側モールド部材６９への印加力によっては、これらの内力は、必ずしも必要ではない。印加された外力は、好ましくは可逆的に、外側モールド部材６９を縮径し、これによって、粉末を圧縮し、型部材７０が得られることになる。好ましくは、多孔質部材７０を炉内において焼結する前に、通路８をもたらすための充填材／挿入物６８が除去されることになる。他の実施形態（図示せず）では、ドラムは、一体片として焼結され、その場で内側部材７７に接続されるようになっている。
【０１４８】
好ましくは、互いに異なる粉末を用いて、外側多孔質部材７１および内側多孔質部材７０を作製してもよく、その製造プロセスは、１つまたは複数の加圧ステップおよび／または焼結ステップから構成することができる。代替的に、両多孔層７０，７１に対して同一粉末を用いてもよく、この場合、この粉末材料は、異なって圧縮されることになる。
【０１４９】
図２ｊは、リブ７６の凹部７２ａおよび多孔質インサート７８の凹部７４を有する実施形態を示している。接合剤が接着剤（嫌気性エポキシ基接着剤など）である場合、最適な接合間隙が、小さな凹部７２ａおよび／または７４によって生じることになる。図２ｊにおけるここでは円状の大きい凹部７４を用いて、液体接合剤をこの凹部および全ての接続された凹部に供給するようになっている。接合剤は、好ましくは、凹部７４から溝状間隙７２a内に流れる。接合材は、多孔質部材７８が２つのリブ間に挿入された後、間隙７２ａ，７４内に供給、好ましくは、加圧される。硬化の後、この大きい凹部は、形状および／または圧力および／または摩擦手段として機能し、これによって、多孔質インサートが製造プロセス中または洗浄プロセス中にドラムから離脱するのを防ぐことができる。
【０１５０】
図２ｊは、本発明のさらに他の実施形態を説明するために用いることができる。すなわち、インサートの固定は、機械的固定手段および接着手段の組合せによって、さらに改良される。好ましい実施形態では、接着手段が、凹部７２ａ，７４内に施される。次いで、インサートが２つのリブ間に配置され、機械的な係止手段、ここでは、ピン（図示せず）が、大きな凹部７４、図２ｊでは、円状凹部内に挿入され、これによって、形状嵌合接続が得られることになる。接着手段が施された場合、過剰な接着手段は、ドラムの外面の方向において小さな凹部７２ａを介して除去することができる。係止ピン／係止手段は、好ましくは、インサート内の凹部７４および／またはリブ７６よりもいくらか大きい直径を有しており、該係止ピン／係止手段をこの凹部内に挿入することによって、多孔質材料は、変形し、多孔質部材および／または機械的係止部材および／または内側部材間に予張力をもたらすことができる。
【０１５１】
他の実施形態では、封止材／シール部材と組合せて、機械的固定具を用いることができる。機械的固定具は、製造中および洗浄中に力を受け、これによって、封止材／シール手段が、いくつかの部品の製造中の公差によって生じる小さい間隙を閉じることになる。用いられる封止材によっては、係止ピンを挿入するための大きな凹部７２ａ，７４のみが必要であり、小さい凹部７２ａ，７４は、もはや必要ではない。
図２ｋは、最適な接合間隙を達成するために小さい凹部しか有していない他の実施形態を示している。この実施形態では、接合剤は、多孔質インサートをドラム内に組み込む前に、接合面に塗布されることになる。
【０１５２】
上記の２つの実施形態において、接合剤が通路８に溜まるのを防ぐために、多孔質インサートが通路８に露出する箇所において、どのような接合間隙もインサート７８とリブ７６との間に存在しないようになっている。
【０１５３】
図２ｌ〜図２ｑは、シート金属管７１および多孔質部７０を備える外側部材７７ａを有するドラムを製造する方法を示している。多孔質部７０を作製するための粉末は、外側部材７７ａの２つのリブ７６間の凹部内に直接供給されるようになっている。図２ｌは、薄肉シート金属管７１および複数のリブ７６から実質的になるサブアセンブリを示している。リブ７６は、良好な接続および／または多孔質構造体とリブとの間の良好な形状嵌合および／または圧力嵌合を得るために、凹部および／または（例えば、図２ｄに示されている）凸部７２ａを備えていてもよい。次の製造ステップ（図２ｍ参照）において、シート金属管およびリブ７６は、モールド７２内に、好ましくは垂直に配置され、次いで、粉末をモールドに加えることによって、多孔質部７０が得られることになる。モールドは、外側部材７７ａと好ましくは柔軟材料から作製された内側部材６９ａとを含んでいる。粉末が、円筒７１，６９ａとリブ７６との間の中空空間に加えられることになる。矢印は、例えば、加圧流体によって生じた内力を示している。モールド部材６９ａを粉末に向かって加圧することによって、加えられた粉末が圧縮され、その後、多孔質構造体の焼結が行なわれることになる。外側部材７７ａが加圧中に変形することを防ぐために、必要に応じて、外力（図示せず）が加えられてもよい。
【０１５４】
外側部材７７ａは、この後、図２ｑに示されているように、接続手段（図示せず）、例えば、溶接、半田付け、ろう付け、および／または接着および／または機械接続などのような接着継手によって、内側部材７７に接続されることになる。シート金属外層７１の存在によって、ドラムの外面の孔を閉鎖する必要がない。製品キャビティが、後で外側部材に機械加工によって形成されることになる。各製品キャビティは、シート金属層７１を貫通するが、多孔質構造体を貫通しないようになっている。
【０１５５】
通路８は、図２ｐに示されているように、リブ７６が内側部材７７に形成されている結果として得られることになる。内側部材７７に代わって、通路８は、外側部材７７ａの一部であってもよい。充填材／挿入物６８は、これらの通路を形成するために必要である。
【０１５６】
図２ｒは、ドラムを製造する他の実施形態を示している。最終ドラムは、内側部材と、リブ、好ましくは、ワイヤメッシュのような支持体および多孔質構造体のサブアセンブリとからなっている。
【０１５７】
ワイヤメッシュが用いられる場合、第１の製造ステップにおいて、ワイヤメッシュのセグメント７２ｂが、それぞれ、２つのリブに接続、好ましくは、溶接される。これらのリブは、好ましくは、リブの正確な位置を確保するために、モールド内に配置される。次のステップにおいて、リブおよびワイヤメッシュのこのサブアセンブリが、プレス内に配置される。内側モールド部材６９ａの設計に依存して、空気および／または洗浄流体を放出するための通路用空間をもたらすために、充填材／挿入物６８を設けることができる。続いて、ワイヤメッシュおよびリブと焼結プレスの外周６９との間の間隙に焼結粉末を充填させ、加圧プロセスを開始させることができる。好ましくは、個々の多孔質部分が、それぞれ、２つのリブ間にもたらされる。すなわち、多孔質焼結部分は、２つのリブ７６間に挿入されることになる。焼結の後、焼結材料の収縮によって、サブアセンブリの外寸法が、加圧後のサブアセンブリの外径よりも小さくなる、すなわち、その内径が縮小する。後続のステップにおいて、一実施形態によれば、リブ、好ましくは、ワイヤメッシュおよび多孔性構造体のサブアセンブリは、機械加工される必要がある。すなわち、サブアセンブリを内側部材７７の外径に接続することを可能にするために、サブアセンブリの内径を拡げる必要がある。
【０１５８】
内側部材７７は、内側円筒を備えている。サブアセンブリは、好ましくは、内側部材の周りに滑動によって挿通され、これらは、製造中および洗浄中外力に耐えるために、互いに剛性接続されることになる。この接続は、当業者に知られている接続手段、例えば、ボルトによって達成することができるが、溶接および／または機械的接続のような他の接続手段も、該接続手段が衛生要件および／または機械的要件を満たす限り、可能である。例えば、この出願の図４に示されているようなエンドキャップ３’，４’を用いることによって、例えば、エンドキャップの凹部へのリブの位置を固定することによって、ドラムの剛性をさらに改良することができる。
【０１５９】
他の実施形態では、リブと（好ましくは、ワイヤメッシュのような）支持構造体とのサブアセンブリのみならず、内側部材７７も焼結プレス内に配置されてもよい。炉内においておよび／または加圧中にリブと内側部材との間に材料接合をもたらす適切な粉末または他の材料が、リブと内側部材との間に供給されてもよい。焼結プロセス中、リブおよび支持構造体への多孔質粉末の接続のみならず、リブと内側部材との間の接続も生じることになる。
【０１６０】
図２ｓは、本発明の型ドラムの他の実施形態を示している。前述の実施形態において述べたような単一リブは、ドラムの全長に沿って内側ドラムの外周に沿って延在する２つ以上の小さいリブ７６に置き換えられてもよい。小さいリブは、各々、好ましくは、柔軟に内側部材に接続され、および／または収縮による力によって変位および／または変形するように、それ自体が柔軟になっている。図２ｓにおいて、リブは、好ましくは、内側部材７７を焼結プレス内に位置決めする前に、ドラムの回転軸と平行の方向に沿った位置「Ｗ」における溶接シームまたは多数の溶接点によって、内側部材７７に接続されるようになっている。溶接は、例えば、収縮による力を受けるときに、多孔質構造体の方向に運動、例えば、回転するように行なわれる。
【０１６１】
焼結プロセス中、多孔質構造体が、それぞれ、リブに付着することになる。図２ｔは、収縮後の状態を示している。リブと多孔質構造体との接合によって、各リブ７６は、多孔質構造体が収縮中にもたらす運動に追従するように強いられることになる。２つのリブ７６間の間隙は、好ましくは、例えば、溶接によって後で閉鎖されることになる。この間隙が比較的大きい場合、溶接部の収縮がリブを有する多孔質材料の接合の破断および／または溶接部のクラックを防ぐために、最初、第１の充填材料が間隙内に加えられてもよい。１つのリブをなす２つの部分は、それぞれ、鏡面対称で設けられている。
【０１６２】
図２ｓから、加圧後に、好ましくは、リブ７６の外周から半径方向に延在する小さい間隙が多孔質構造体内に生じることが、さらに分かるだろう。これは、モールドを充填する前に、多孔質材料の小さい帯片を除去するかまたは非付着材料をリブの上に加えることによって、もたらされる。この間隙は、多孔質構造体の収縮中にリブがその初期位置に付着することを防ぐことになる。しかし、多孔質材料がリブ間にのみ設けられ、かつ各多孔質セグメントが２つのリブ間の他のセグメントと別に設けられる場合、このような間隙は、必要ではない。
【０１６３】
図２ｕは、リブと焼結多孔質材料との間の接続の損傷を防ぐさらに他の実施形態を示している。ここでは、リブ７６は、焼結中、特に、多孔質材料の収縮中、多孔質構造体の運動に追従することができる２つの部分を備えている。好ましくは、収縮中にリブが多孔質構造体の運動に追従することを可能にするために、小さい間隙がリブの上に形成されている。ここでは、リブの各部分は、Ｕ字状断面を有しており、１つのリブをなす２つの部分は、鏡面対称で設けられている。
【０１６４】
図２ｖは、単一リブ７６を用いることができる本発明のドラムの他の実施形態を示している。このリブは、例えば、内側部材に接続、例えば、剛性的に溶接されている。内側部材に接続されていないリブの上側から分かるように、溝／間隙９０が中心線、すなわち、リブの対称線に沿って、好ましくは、ある高さにわたって設けられ、これによって、リブが２つの部分に分割されているが、このリブの基部９２には、溝／間隙９０が延在していない。この溝／間隙は、好ましくは、リブの全長にわたって延在している。従って、各リブは、２つの小さい柔軟セグメントを備えている。好ましくは、基部９２またはリブ７６の他の部分に１つまたは複数の凹み、例えば、ノッチ９１を設けることによって、これらのより小さいセグメントは、さらに柔軟になり、特に、収縮中の多孔質構造体の運動に追従することが可能になる。
【０１６５】
他の図示されない実施形態では、インサートがドラムの設計に用いられるようになっている。インサートは、焼結モールド内において作製される。モールドの底壁は、好ましくは、支持体、例えば、ワイヤメッシュを備えており、好ましくは、（ドラムの軸の方向に延在する）両側壁が、それぞれ、シート金属または帯片を備えている。次いで、好ましくは、ワイヤメッシュとシート金属または帯片との間においてモールド内の凹部が粉末によって充填される。粉末の加圧後、インサートは、ワイヤメッシュ、シート金属および／または帯片および多孔質構造体から構成されることになる。次のステップにおいて、インサートは、焼結される。収縮によって、インサートの外寸法が、縮小する。後続のステップにおいて、外側壁が機械加工され、これによって、ドラムの最終設計に依存して、インサートは、内側部材の内側円筒および／または内側部材のリブに接続されることになる。機械加工された外側壁は、カムおよび／または凹部を備えることができ、これによって、インサートは、リブに対して良好に配置されることになる。さらに、これらのカム／凹部は、ドラム内の位置へのインサートの機械的な保持を助長する。後続のステップの１つにおいて、外面の孔が閉鎖されることになる。
【０１６６】
図３は、型ドラム１の実施形態を示している。各製品キャビティ２は、型ドラムの少なくとも１つの通路８に接続されており、底壁１０および側壁１１からなっている。
【０１６７】
通路８は、好ましくは、ドラムの第１の先端３から第２の先端４に延在している。通路８を介して、ガスを１つの型キャビティ列に供給し、成形された食品を各キャビティから排出し、および／またはキャビティの充填中にキャビティを通気するようになっている。加えて、通路を洗浄するために、洗浄流体を各通路８内に送り込み、および／または型キャビティを洗浄するために、洗浄流体を多孔質材料を通して各キャビティ内に流すようになっている。好ましくは、ドラムは、円錐部１６，１７を一端または両端３，４に備えている。円錐部１６，１７は、例えば、図１に示されているように、ドラムを成形装置内に組み込み、かつ固定するためのものである。保護リム６が、好ましくは、ドラムの一方または両方の外端３，４に一体化されている。各リム６は、例えば、ドラムが貯蔵ユニット内に配置されたとき、ドラム、特に、多孔質材料の外面を保護するものである。このリムは、内側円筒の一部であってもよいし、または多孔質部材７８の一部であってもよい。形状嵌合手段７が、好ましくは、製造中にドラムを成形装置内において回転させるために、設けられている。ドラムは、大きな内側開口２０を備えている。内側開口２０は、この例では、円筒状である。この開口２０は、好ましくは、第１の端３から第２の端４に延在している。
【０１６８】
分配器９が、好ましくは、洗浄目的のために設けられている。分配器９は、この例では、内側円筒７５の少なくとも１つの先端３，４および多孔質インサート７８に一体化されたリング状溝である。国際特許出願公開第２０１２／０８４２１５号を参照されたい。この特許出願は、参照することによって、ここに含まれ、その開示内容は、本出願の開示の一部をなすものとする。ドラム内における分配器の使用が、国際特許出願公開第２０１２／０８４２１５号に記載されている。
【０１６９】
内側部材は、内側管およびリブを有しており、これらのリブは、２つのリブ間に配置された多孔質材料と一緒にドラムの外面に延在している。このような内側部材を用いることによって、排出中、空気／流体が、他の製品キャビティ列に漏れることがない。その結果、空気の消費が低減する。これが、この設計の主な利点である。
【０１７０】
図４は、型ドラム１のさらに他の実施形態を示している。この実施形態では、分配器９は、フランジ部、ここでは、ドラムの第２の先端４に一体化されている。分配器は、この例では、先端のフランジ部の円筒部の周方向に延在する多数の、ここでは、３つの長い孔状開口９を備えている。これは、十分な洗浄を確実にするための多量の洗浄流体をドラムの通路８内に供給することができるので、有利である。
【０１７１】
エンドキャップを備えるドラムを示す国際特許出願公開第２０１２／１０７２３６号の図５８を参照されたい。図４’において、エンドキャップ３’および／または４’は、それぞれ、ドラムの前端および後端に設けられている。形状嵌合手段７は、エンドキャップ４’の一部とすることができ、図４による実施形態において形状嵌合手段として意図された凹部は、洗浄装置において洗浄流体のための分配器９として用いられるようになっている。エンドキャップを用いることによって、本明細書に記載されているカバー８１（図１１および図１６ａ参照）を用いる必要がなく、これによって、成形装置に対するドラムの脱着が簡素化される。さらに、異なる厚みの多孔質構造体の使用に関して、融通性を高めることができる（厚みは、成形される食製品の寸法に依存して、略１８ｍｍ〜５５ｍｍ間で変更させることができる）。多孔質構造体の選択された厚みとは無関係に、洗浄流体用の入口／出口１６３、ここでは、エンドキャップにおける流体流れ用長孔が、ドラムアセンブリのヘッド端の同じ位置に開いている。さらに、入口／出口１６３は、反対側においても、ドラムの通路８内に開くように設計されている。多孔構造体の厚みと無関係に、円錐１６（駆動側）および円錐１７（支持側）が、エンドキャップの一部として設けられている。これらの円錐１６，１７は、同一寸法とすることができる。
【０１７２】
図５ａには、型キャビティ列２’ごとに多数の通路８ａ，８ｂ，８ｃを有する実施形態が示されている。多孔質インサートの多孔質構造体は、これらの通路に向かって開いている。通路８ａ〜８ｃは、多孔質インサートの材料の凹部によって形成されている。これは、例えば、機械加工によって達成することができるが、好ましくは、これらの通路は、インサートの製造中に型の一部とすることによって形成されている。図３および図４の実施形態と比較して、図５ａによる実施形態は、以下の点、すなわち、流体流れ、例えば、加圧ガスおよび／または洗浄液体を一つの列２’における通路８ａ〜８ｃの全てではなく１つまたは複数のみに供給することになり、一つの列２’の各型キャビティの所望の領域にのみ導くことができる点において、有利である。これによって、制限された量の流体流れしか供給する必要がない。成形装置の流体消費が低減することになる。また、流体を一つの列２’の全ての通路８ａ〜８ｃを通って同時に導くこともでき、この場合、該流体は、全ての製品キャビティの底壁および側壁に流れることになる。
【０１７３】
付加的または代替的に、比較的弱い多孔質インサートを支持する少なくとも１つの支持領域１４が設けられてもよい。その結果、製品キャビティの下の多孔質構造体の厚みを、この多孔質構造体が運転中に変形するおそれをもたらすことなく、薄くすることができる。
【０１７４】
好ましくは、全ての成形された食製品が、キャビティ２−Ｉ〜２−ＩＶから実質的に同時に離脱されるようになっている。図５ｂは、２つのキャビティ列２’を備えるインサートのために設計された多数の、ここでは、５つの通路８を有する実施形態を示している。任意の２つの列２’における製品が特定の順序で排出されることを達成するために、流体、ここでは、加圧ガスをいつ、どの通路に供給するかの選択を行うことができる。
【０１７５】
成形された製品の排出に関して、例えば、最初に、流体を製品キャビティの底に導き、次いで、製品キャビティの側壁に導き、これによって、最初に、成形された製品の底と多孔性構造体との間の接着力を除去し、次いで、成形された製品の側壁と多孔質構造との間の接着力を除去することが有利である。図６は、このような実施形態を示している。インサートの多孔質構造体は、通路８ａ，８ｃに向かって開いている。通路８ｂの多孔質壁８ｂｈが開いており、多孔質壁８ｂｖは、閉じている。孔の閉鎖は、機械加工によって行うことができるが、インサートの製造中にモールド内に異なる粉末を用いることによって行うこともできる。プレート１５が、製品キャビティが配置された各位置において、流体絞り部として機能している。プレート１５は、好ましくは、開口、例えば、円孔を有する帯片である。プレート１５は、例えば、接合手段によって壁８ｂｈに固定して接続されており、キャビティの底壁に開いた凹部を備えている。通路８ｂに最初に流体、例えば、加圧ガスを供給することによって、任意の列の製品キャビティの底に最初に流体を供給することが達成される。一定時間後、流体を通路８ａ，８ｃに供給し、その結果、側壁および／または底壁の残っている部分に流体を供給し、成形された食製品をキャビティから排出させることができる。空気を１つまたは複数の通路に同時にまたは時間を遅らせて導く他の実施形態も可能である。
【０１７６】
図７は、型ドラム１の他の実施形態を示している。これらの実施形態は、各々、内側管７５および比較的大きい多孔質部材７８、好ましくは、２つまたは３つの多孔質部材７８から構成されている。図７ａは、ドラムが製品キャビティ２．Ｉ〜２．ＩＶを有する偶数の列２’を備えるときに用いることができるアセンブリを示している。ドラムは、ここでは、２つの多孔質部材７８しか備えていない。図７ｂは、製品キャビティ２．Ｉ〜２．ＩＶを有する奇数の列２’に用いることができる３つの多孔質部材７８を備えるドラムを示している。通路８を形成するために、および多孔質部材７８を内側管７５に対して同心位置に保持するために、リブ７６が設けられている。好ましくは、多孔質部材間の接合を付加的に改良するために、リブ７６ｂが設けられている。図７ｃは、リブ７６ａが設けられていない点および外面の全体が多孔質部材から構成されている点を除けば、図７ａと同様のドラムを示している。これは、以下の点、すなわち、研磨でなく、深圧延によって、多孔質部材７８の外周における多孔質材料の孔を閉鎖することができる点において、有利である。多孔質でないリブ７６ａ，７６ｂがインサートに点在しているとき、深圧延を用いると、不確実な結果、例えば、ドラムの非円形外径をもたらす可能性がある。
【０１７７】
多孔質部材の外周における孔の均一な封止を達成するためのショットピービング、好ましくは、ロボットによって制御されたショットピーニングは、リブを有する場合にでも用いることができる技術である。
【０１７８】
図７ａ〜図７ｃのインサートは、好ましくは、インサートの前端の互いに接続される箇所に接合部材を施すことによって、互いに接続されている。
【０１７９】
成形された食製品を排出する設計によっては、互いに隣接する２つのキャビティ列間にバリアが存在しないと、有利なことがある。この構成によれば、一列の食製品の排出中に、流体、例えば、空気が、自由に多孔質構造を介して隣接するキャビティ列２’に流れ、さらに隣接通路８内に流れることができる。すでに空になったキャビティ列の多孔質構造体は、例えば、この流体によって洗浄され、充填されたばかりのキャビティ列の通路は、流体、例えば、空気によってすでに満たされていることになる。多孔質構造体の厚み、多孔質構造体の開口率および／または成形された製品と製品キャビティとの間の接着性にもよるが、互いに隣接するキャビティ列２’間の流体流れが、成形された製品の望ましくない排出をもたらすことはないだろう。流体の少なくとも部分的に自由な流れは、多孔質部材の接触面をリブ７６の位置の上方にずらして配置することによって、達成することができる（図７ｄ参照）。これは、図７ｅの構成、すなわち、多孔質部材７８の外径および／または内径において、多孔質部材７８を溶接、好ましくは、ＴＩＧによって互いに接続する構成によっても、同じように達成することができる。
【０１８０】
図７ｆにおいて、リブ７６が、各々、互いに隣接する２つのキャビティ列間に設けられている。各リブ７６は、該リブによってもたらされた１つの通路７９または各通路７９を有している。各通路は、好ましくは、個別に減圧接続部に接続されており、これによって、例えば、一つの列におけるガスの放出による成形された製品の排出中に、隣接するキャビティ列へのガスの横断流れが少なくとも低減されることになる。
【０１８１】
図７ａ〜図７ｆの全ての実施形態において、リブ７６は、好ましくは、接合手段によって、管７５および／または多孔質部材７８に接続されている。
【０１８２】
図７ｇは、図２〜図６による実施形態と同様の実施形態であるが、互いに隣接する２つのキャビティ列間の流体流れが望ましくなく、その結果、例えば、空気の漏れ、過剰な空気消費、および／またはキャビティ列への空気流れを生じる場合に用いられる、実施形態を示している。
【０１８３】
多孔質部材７８内の凹部７４および／またはリブ７６は、１つの通路から他の通路への空気流に対する抵抗体として機能する。
【０１８４】
図７ｇに示されているドラム設計は、ドラムの組立に有利である。図７ｇに示されているように、第１のリブ７６ｂをそれぞれインサート７８の凹部内に接続し、他の組のリブ７６をそれぞれ管７５の凹部７５内に配置する。続いて、これらのプレアセンブリを互いにすべり込ませることによって、ドラムが得られることになる。リブ７６ｂは、好ましくは、面取り部を備えている。
【０１８５】
多孔質材料を介して１つの通路から他の通路への空気流れを少なくとも低減させる他の好ましい設計または進歩的な設計として、多孔質構造体の２つの製品列間の箇所を、食品業界において用いることが認可され、かつ製造中および洗浄中の環境（洗浄剤、洗浄温度、など）に対して耐性を有する材料によって、含浸させる方法が挙げられる。
【０１８６】
図８は、ドラムの異なる実施形態を示している。この実施形態は、内側円筒７５および比較的小さい多孔質部材から構成されている。好ましくは、各製品キャビティ列２’は、個別の多孔質部材７８を有している。
【０１８７】
型ドラムの強度および剛性は、内側部材７７の寸法によっておよび多孔質部材７８の設計によって決定される。多孔質材料の制限された強度特性および剛性特性によって、互いに隣接する２つのリブ７６間に支持手段（図示せず）を設けることが必要になる場合がある。
【０１８８】
図９は、インサート７８の製造に関するいくつかの実施形態を示している。
前述のドラム実施形態の１つにおけるインサートは、種々の方法によって作製することができる。第１に、インサートは、例えば、好ましくはステンレス鋼粉末の等方圧加工によって作製された焼結多孔質管からセグメントを鋸切断、フライス加工、または水噴射切断などによって分断することによって、作製することができる。第２に、インサートは、ステンレス鋼粉末を予め形作られたモールド内に垂直方向に加圧し、その後、この予め形作られたインサートを焼結することによって、作製することができる。例えば、図７のドラム実施形態のインサートは、好ましくは、多孔質管から作製されており、図３、図４および図８に示されているインサートは、垂直方向加圧インサートから作製されている。
【０１８９】
図９ａでは、インサート７８は、例えば、外層７１を有する多孔質焼結材料の等圧加圧管から作製した多孔質基部７０からなっている。外層７１は、等圧加圧管の多孔質と異なる多孔質を有している。この外層は、好ましくは、高密度構造を有しており、例えば、好ましくはスレンレス鋼から作製された箔、圧延プレート、または厚肉管とすることができる。これは、ドラムの外周の孔を閉じるプロセスを省くことになるので、有利である。また、外層は、異なる粉末を型内に供給し、その後、加圧および焼結し、その結果として閉構造をもたらすことによって、作製することもできる。重要なのは、焼結プロセスの後、多孔質基部７０が外層７１に付着することである。
【０１９０】
図９ｂは、インサート７８を有するドラムの２つの実施形態を示している、インサート７８の多孔質基部７０は、例えば、垂直方向加圧によって形作られている。各インサートは、外層７１とインサートの両ヘッド端に周方向に沿って配置される外層とを設けることによって、作製されている。両ヘッド端の外層は、リブとして利用することができ、および／またはインサートを内側部材７５に固定するために利用することができる。リブは、好ましくは、内側部材と多孔質インサートとの間に空間をもたらすようになっている。この空間は、製品を排出するためのガスの流路としておよび／または多孔質インサートを洗浄するための洗浄流体の流路として利用することができる。各外層は、例えば、箔またはプレートであってもよいし、または異なる粉末をモールド内に供給し、その後、加圧および焼結し、その結果として閉構造をもたらすことによって、作製されてもよい。重要なのは、焼結プロセスの後、多孔質基部７０が外層７１に付着することである。図９ｃは、いかにインサートがモールド７２を用いて作製されるかを示している。各セグメントの少なくとも１つ、好ましくは、全ての外層がモールド７２内に配置される。その後、焼結材料の粉末が、モールド７２および外層７１によってもたらされたキャビティ内に充填される。好ましくは、この粉末が、加圧および焼結される。焼結中、焼結粉末は、外層に接着によっておよび／または機械的に接合されることになる。続いて、インサートは、好ましくは、接着剤接合によっておよび／または機械的接合によって、ドラムの内側部材に固定される。最後のステップにおいて、周方向外層の外面が機械加工され、これによって、ドラムの最終径を得ることができる。最終ステップとして、製品キャビティが、好ましくは、機械加工、好ましくは、フライス加工によって形成され、外層が得られる。ドラムの半径方向周面における外側層７１に起因して、各セグメントの外周の孔は、閉鎖される必要がない。
【０１９１】
図９による実施形態のいずれにおいても、焼結プロセスの後、インサートの一部の表面は、外部に開通しないようになっている。
【０１９２】
図１０〜図１９は、可動ユニット、成形装置、洗浄装置、および貯蔵ユニットの実施形態を示している。
【０１９３】
図１０から分かるように、成形装置２９は、駆動側１９および型ドラム（図示せず）のための支持側１９を備えている。駆動側１９は、製造中に型ドラムを回転させる駆動要素を備えている。駆動側は、型ドラム１を回転させるモータおよび／またはギアボックスを備えている。支持側１８において、ドラムは、製造中、フレーム２３に対して支持されるようになっている。
【０１９４】
図１１は、可動ユニット６０を示している。可動ユニット６０は、型ドラムを洗浄ユニットから製造ユニットまたは貯蔵ユニットに移送し、またはその逆に、型ドラムを製造ユニットまたは貯蔵ユニットから洗浄ユニットに移送するものである。可動ユニットは、所謂、製造支持手段４５を離脱可能に備えている。この製造支持手段については、図１３においてさらに詳細に説明する。この例では、製造支持手段は、カバー８０を備えており、型ドラム１は、製造支持手段４５に固定されるようになっている。カバー８０は、ドラムの先端３を密封し、および／または流体を該先端３に供給するものである。カバー８０は、図示されているように、別の部品であってもよいが、製造支持手段４５の支持構造体５１の一体部品であってもよい。
【０１９５】
図１２の可動ユニット６０は、フレーム６３と、製造支持手段４５および型ドラム１を支持する支持フレーム６２とを備えている。この支持フレーム６２は、位置合わせ機構６１を備えている。位置合わせ機構６１は、成形装置、洗浄装置、および／または貯蔵ユニットに対する製造支持手段および型ドラム１の角度を調整するものである。成形装置２９、洗浄装置、および／または貯蔵ユニットに対する型ドラム１の高さを調整するために、好ましくは、高さ調整部６４が用いられている。さらに、可動ユニットは、好ましくは、アダプタ６７を備えている。アダプタ６７は、例えば、回転ノブ６５によって回転可能になっている。アダプタ６７は、製造支持手段４５の連結ヘッド５７に形状嵌合および／または圧力嵌合によって接続可能になっている。これは、例えば、型ドラム１を成形装置２９の駆動側１９に固定するために、行なわれる。さらに、可動ユニットは、好ましくは、位置決め手段６６を備えている。位置決め手段６６は、可動ユニット６０を成形装置２９および／または洗浄装置および／または貯蔵ユニットに対して位置決めするものである。製造支持手段４５を可動ユニット６０に固定する手段（図示せず）が設けられていてもよい。
【０１９６】
図１３には、製造支持手段４５が示されている。製造支持手段は、ドラムを可動ドラムに支持するのみならず、ドラムを成形装置２９の支持側１８にも支持するものである。製造支持手段は、成形装置から取り外されるようになっている。製造支持手段は、好ましくは、その一端に、軸受付きの支持構造体５１を備えており、該軸受は、好ましくは、ハウジング４６内に設けられている。好ましくは、支持構造体は、図１３に示されているように、製造支持手段を成形装置に位置合わせし、および／または接続するための構造体を備えている。製造支持手段は、スピンドル５２をさらに備えている。スピンドルナット５３および連結ヘッド５７は、好ましくは、スピンドル５２の一部である。スピンドル５２の一端は、この例では、ハウジング４６内に設けられた前述の軸受に支持されている。連結ヘッド５７を時計方向に回転させることによって、スピンドルナット５３が成形装置の一部である駆動シャフト２１に接続されることになる。従って、スピンドル５２および型ドラム１は、成形装置２９の駆動側１９に固定されることになる。スピンドル５２へのドラムの付加的な支持および／または案内をもたらすために、支持ディスク５４が設けられてもよい。さらに、製造支持手段は、型ドラム１を製造支持手段４５に固定するための係止手段５６を備えているとよい。レバー５５によって、係止手段５６を作動／作動停止することができる。型ドラムを支持側１８および／または駆動側１９において成形装置に締め付けるために、張力ナット５８が利用されてもよい。張力ナット５８は、好ましくは、製造支持手段の一部でもある。さらに、張力ナット５８は、好ましくは、スピンドル５２、従って、型ドラムが非意図的に可動ユニット６０から取り外されるのを防ぐことになる。張力ナット５８がスピンドルから取り外されるのを防ぐ手段が設けられてもよい。ドラムが洗浄装置内に配置されたとき、製造支持手段は、好ましくは、可動ユニットにとどまっている。
【０１９７】
ドラムを貯蔵ユニットから取り上げる前に、好ましくは、カバー８０が、ドラムの第１の先端３に配置されるようになっている。製造支持手段４５がすでに取り付けられている可動ユニット６０を準備し、ドラムが、例えば、スピンドル５２を型ドラムの内側開口２０内に挿入することによって、これらの支持製造手段上に配置される。続いて、ドラムは、好ましくは、移送中に製造支持手段４５からすべり落ちないように、製造支持手段４５に固定される。これは、例えば、レバー５５を回転させ、これによって、係止手段５６を係止位置にもたらすことによって、行うことができる。カバー８１（図１１参照）が、型ドラムの第２の先端４に配置される。他の実施形態では、カバー８１は、成形装置２９の駆動側１９において流体制御部材８２の一体部分とすることができる。ここで、可動ユニット６０を成形装置２９に移動させ、位置決め手段６６を介して正しい位置に配置させ、成形装置に接続することができる。
【０１９８】
図１４は、成形装置内の型ドラム１の取付けを示している。この図による実施形態では、製造支持手段４５は、図１３に示されているように、製造支持手段を成形装置に位置合わせし、および／または接続する支持構造体５１を備えている。図１４ａにおいて、製造支持手段４５は、成形装置の支持側１８上の１つまたは複数のパイロットピン２４上をすべることになる。図１４ｂにおいて、ドラムの駆動側の円錐１７が、円錐駆動シャフト２２に接触する。型ドラム１の形状嵌合手段７は、駆動シャフト２１の対応する形状嵌合手段に対応していなければならない。形状嵌合手段が、例えば、図３および図４におけるような互いに異なるカムのように、互いに異なって設計されている場合、ドラムは、成形装置の駆動シャフト２１に対して単一の角位置においてのみ嵌合することになる。図示されていない他の実施形態によれば、形状嵌合手段７に代わって、ドラムは、円錐１７，２２間の摩擦力によって駆動されるようになっている。この場合、成形装置内へのドラムの装填が簡素化されることになる。好ましくは、かじりを防ぐために、円錐１７は、ステンレス鋼から作製され、円錐２２は、真鍮のような他の材料から作製されている。さらなる摩擦をもたらすために、円錐１７をドラムの外周に配置することも可能であり、これによって、円錐１７を円錐２２に移動させながら、ドラムを成形装置内に容易に装填することができる。この場合、図１４に示されている設計は、再設計される必要がある。図１４ｃは、設定位置、ここで、ドラム１の円錐１７と駆動シャフト２１の円錐２２との間にわずかな間隙が存在する位置に、手動によって移動した型ドラム１を示している。張力ナット５８が、スピンドル５２の反対側の位置に配置されている。図１４ｄは、回転ノブ４５を時計方向に回転することによって、アダプタ６７、連結ヘッド５７、およびスピンドルナット５３が駆動シャフト２１のネジ部２５に締め付けられる状態を示している。
この締付けの間、駆動シャフト２１は、停止位置にある。ネジ部２５を締め付けるかまたは緩めるために必要なトルクに依存して、ギアボックスのギア比は、駆動シャフト２１が回転するのを防ぐのに十分なものとすることができる。ギア比が十分に高くないとき、ブレーキ手段または他の機械手段を備える駆動モータを用いることによって、駆動シャフトの回転を止めることができる。
【０１９９】
図１４ｅは、型ドラム１を成形装置２９に固定する最終ステップを示している。円錐１７，２２間の隙間をなくすために、およびドラムの円錐１７と成形装置２９の駆動側１９の駆動シャフトの円錐２２との間およびドラムの円錐１６と（成形装置２９の支持側１８における製造手段４５の一部である）軸受ハウス４６の円錐５９との間に予張力を与えるために、好ましくは、予設定値が設定されているトルクレンチによって、張力ナット６８をここでは時計方向に回転させることになる。ドラム１は、その最終位置にあり、次いで、駆動側１９に締め付けられ、かつ固定され、成形装置２９の支持側１８にも締め付けられ、かつ固定される。このステップは、可動ユニットが図１４ｅに示されているように製造手段に接続されている間に行うことができるが、張力ナット５８の制限されたアクセス性を考慮し、製造支持手段４５と可動ユニット６０との間の接続を離脱させることによって（図示せず）、可動ユニットをまず成形装置から離れる方に移動させることが好ましい。
【０２００】
代替的実施形態では、スピンドル５２および張力ユニット５８は、互いに固定されていてもよいし、または単一部品として作製されていてもよい。連結ヘッド５７を時計方向に回転させることによって、円錐１７，２２間および円錐１６，５９間の隙間が除かれると共に円錐１７，２２間および円錐１６，５９間に予張力が加えられるまで、スピンドル５２および張力ナット５８が回転することになる。
【０２０１】
製造手段を成形装置に位置合わせし、および／または接続する支持構造体５１が製造手段に設けられていない実施形態では、軸受を成形装置のフレーム２３に接続し、および／または締付けすることによって、ドラムを成形装置の支持側１８に締付け、かつ固定することができる。
【０２０２】
他の好ましい実施形態では、ドラムは、手動によって成形装置に締め付けられないようになっており、好ましくは、空圧駆動アクチュエータによって成形装置に手締め付けられるようになっている。この実施形態では、アクチュエータは、ドラムの軸方向に駆動可能なロッドに接続されている。このロッドおよびスピンドル５２は、互いに係留可能になっている。ドラムが成形装置内に装填され、ロッドがスピンドルに係留されるとすぐに、アクチュエータが作動され、ロッド、従って、スピンドルを引っ張り、これによって、円錐１７，２２間および円錐１６，５９間の隙間が除かれる。アクチュエータに所望の力を加えることによって、ドラムは、成形装置に十分に締め付けられ、かつ固定されることになる。ドラムの離脱は、前述のステップと逆のステップによって、行うことができる。
【０２０３】
成形プロセス中、特に、シール部材が、ドラムの外面に高い機械力をもたらすことになる。これらの力を吸収しなければならない構成要素は、大きな寸法を有し、かつ比較的重くなる。このシール部材をドラムの軸受に直接接続することによって、所謂、力閉鎖（force-closed）システムがもたらされる。これによって、機械力を吸収する構成要素を小さく、かつ軽くすることができる。
【０２０４】
成形装置は、以下の場合にのみ、すなわち、ドラムが、例えば、円錐１６，１７，２２，５９および形状嵌合手段７の寸法の適切な選択によって、駆動側１９において駆動シャフト２１からおよび支持側１８において製造手段４５から離脱できないように位置決めされ、かつ固定された場合にのみ、開始されることになる。スピンドル５２および張力ナット５８が十分に締め付けられず、または成形装置の操作中に緩んだときであっても、ドラムは、好ましくは、抜け落ちないようになっている。カバーは、好ましくは、危険状況を防ぎ、型ドラムが成形装置内に固定されたときにのみ固定され、または製造支持手段４５が成形装置に固定されたときにのみ閉鎖されるようになっている。カバーが閉鎖されたときのみ、センサが作動し、成形装置を開始することができる。
【０２０５】
図１５には、製造支持手段４５およびドラム駆動手段が示されている。駆動側１９において、駆動シャフト２１は、駆動モータ３４、好ましくは、ギアボックス３５によって駆動されるようになっている。ギアボックス３５は、ここでは、中空シャフト３１を備えており、駆動シャフト２１は、軸受３３に支持されている。軸受３３は、好ましくは、軸受ハウス３２内、さらに好ましくは、ギアボックス（図示せず）の各側に位置している。成形装置２９の支持側１８において、型ドラムは、軸受４７によって軸支されている。軸受４７は、好ましくは、軸受ハウス４６内に組み込まれており、製造支持手段４５の一部をなしている。軸受の要件の１つは、運転中の作用力に耐え、成形装置内において用いられるのに適していることである。軸受を備える軸受ハウス、潤滑、軸受の組立／分解、シール手段、および軸受ハウスの総合設計の実施形態は、好ましい実施形態であり、この図に示されている実施形態に制限されるものではない。
【０２０６】
図１６ａは、成形装置２９からドラム１への流体制御および／またはドラム１から成形装置２９への流体制御の実施形態を示している。流体は、好ましくは、ガス、さらに好ましくは、加圧ガスである。支持側１８のカバー８０は、通路８を閉鎖し、ドラムと一緒に回転するようになっている。このカバーは、流体が１つの通路から他の通路に流れるのも阻止する。カバー８１が図１６に示されているような別部品である場合、このカバーは、ドラムが成形装置２９内に配置される前に、駆動側１９においてドラムに接続されねばならない。カバー８１は、ドラムと一緒に回転し、ドラム内の通路の寸法をより小さい開口に縮小させ、これによって、流体が２つ以上の通路に同時に流れるのを防ぐために用いられている。カバー８１内の流路の数は、好ましくは、型ドラム１のキャビティ列２’の数に基づいて決められる。
【０２０７】
図１６ｂは、いくつかの部品からなる流体制御部材８２を示している。流体制御部材８２は、固定手段、例えば、リング要素８３内のバヨネット接続部８４を介して、成形装置の駆動側１９に固定することができる。他の主部品は、接触リング８５、バネ要素８６、カウンターリング８７、および調整ロッド８８である。調整ロッド８８は、任意選択的であり、放出位置を手動によって変化させるために用いることができる。放出位置は、成形される製品の大きさおよび／または形状によって、主に決定されるようになっている。好ましくは、放出位置は、排出される製品の連続する列がそれぞれ等距離で送出コンベヤ上に位置するように、弁を介して変更されることが可能である。通路への空気（流体）供給の開始時期は、極めて重要であり、この開始時期は、連続する列の各々において同一であるべきである。ドラムの速度を変更するとき、ドラム内の排出されるキャビティ列の位置に対する空気供給のこの開始時期は、通路内に生じる圧力の慣性によっても変更されねばならない。この開始時の変更は、操作パネルを介して手動によって行なわれてもよいが、好ましくは、ドラムの速度に関して自動的に調整されることになる。ドラムの速度が大きくなると、空気供給の開始時期を早めねばならない。
空気供給は、好ましくは、迅速操作弁を必要とする。開始時を除いて、弁は、好ましくは、連続する列の各々に略同一の空気を送達するべきである。これは、成形された製品が連続する列ごとに異なって排出され、これによって、成形された製品が送出コンベヤ上に一列になって適切に配置されないことを防ぐためである。加えて、弁の迅速な閉鎖によって、製造中の空気消費量および／または操作パネルの設定値によって駆動される流体制御部材を介する空気消費が少なくなる。接触リング８５が、カバー８１に直接接触するようになっている。接触リング８５は、ドラムへの流体を制御する凹部および通路を備えている。バネ要素、例えば、空気ベローズ、シリンダー、圧縮バネ、などが接触リング８５をカバー８１に直接接触させ、流体の漏れを防ぐことになる。接触リング８５とカバー８１との間の摩擦は、これらの部品が余りに早く摩耗しないように可能な限り低く抑えられていなければならない。さらに好ましい実施形態では、これは、カバー８１に対して制限された接触面積しか有しないより小さい接触リング８５によって、達成されることになる。
【０２０８】
図１７は、フード１６０を備える洗浄装置１４０を示している。フード１６０は、型ドラムの脱着を行うために開くことができ、洗浄プロセス中、閉鎖するようになっている。フードは、洗浄プロセスを点検するための窓を備えることができる。製造支持手段４５および型ドラム１が取り付けられた可動ユニット６０を準備し、その型ドラムが、装填側１４１から洗浄装置１４０内に装填される。型ドラムは、製造支持手段が外に位置する状態で、洗浄装置内に配置される。型ドラムは、係止手段５６を作動停止するレバー５５によって、製造支持手段から離脱されてもよい。ドラムが洗浄装置４０内に配置された後、製造支持手段を有する可動ユニットが取り外されることになる。製造支持手段４５は、可動ユニット上に残されており、例えば、他のドラムを貯蔵ユニットから取り上げ、この型ドラムを成形装置２９内に装填するのに用いることができる。食製品の製造中に洗浄装置内のドラムの洗浄プロセスが完了し、製造支持手段４５がまだ成形装置内において用いられているとき、この洗浄されたドラムは、第２の利用可能な製造支持手段または軸受が内蔵されていない簡素化された手段と一緒になった可動ユニットによって、洗浄装置から取り外すことができる。
【０２０９】
洗浄装置１４０は、洗浄プロセス中に用いられる流体を加熱するための加熱要素を備えることができる。殆どの場合、工場は、温水栓をすでに有しているので、温度制御弁およびどのような加熱要素も必要とせず、その結果、洗浄ユニットのためのコストを抑えることができる。
洗浄剤が不足している結果として、ドラム１が所定の洗浄プロセスによって洗浄されないことを防ぐために、好ましくは、レベル検出器付き洗浄剤容器が、設けられている。洗浄剤レベルが余りに低いとき、洗浄装置は、開始せず、これは、操作パネルおよび／または信号ランプによって示されることになる。
【０２１０】
図１８ａおよび図１８ｂは、洗浄装置の第１の実施形態を示している。ドラムが洗浄装置内の所定位置に配置された後、カバーおよび／または固定手段１４３が、各先端に接触するまで、ドラムに向かって移動される。固定手段によって、カバーは、ドラムに固定可能である。ドラムとの接触側において、カバー手段１４３は、好ましくは、シール手段１４４を備えている。カバーは、好ましくは、内側シール手段１４５内に設けられたディスクをさらに備えている。これらのシール手段によって、好ましくは、洗浄流体を放出開口１４６に導くことが確実になる。分配器側１４２には、カバー手段１５０が設けられている。外側シール手段１５１および内側シール手段１５２の両方が、好ましくは、洗浄流体が洗浄される型ドラムの通路８に導かれないことを防ぐことになる。
【０２１１】
図１８ｂは、１つまたは複数の流路１５３を示している。流路１５３は、カバー手段１５０内に組み入れられており、洗浄流体をドラムのリング状分配器９に導き、そこから通路８内にさらに導くようになっている。供給される洗浄流体の量は、主に流路１５３の寸法、分配器の寸法、ドラム内の通路の寸法、インサートの多孔率、およびポンプの大きさに依存している。
【０２１２】
形状嵌合手段７，１２を型ドラム１が単一の回転位置においてのみ洗浄装置に嵌合するように設計することによって、ドラムの分配器内に開いた流路１５３を比較的大きくすることができる。
【０２１３】
好ましい洗浄プロセスを記載している国際特許出願公開第２０１２／０８４２１５号を参照されたい。この文献は、参照することによってここに含まれ、本開示の一部をなすものとする。洗浄中、型ドラムは、停止している。すなわち、洗浄中、型ドラムは、回転せず、多数のノズルを有する噴霧手段１６１が、駆動手段１６２を介して、ドラムを中心として回転するようになっている。噴霧手段１６１は、流体供給流路１５６に接続されている。ノズルの運転時間、ノズルの回転速度、および用いられる洗浄流体は、標準値であってもよいし、または、例えば、ドラムの汚染に依存して選択されてもよい。型ドラムの通路８を洗浄するために、放出開口１４６は、開いていなければならない。多孔質製品キャビティ２が洗浄されねばならないとき、放出開口１４６は、閉鎖していなければならない。従って、放出開口は、弁（図示せず）に接続されており、該弁は、洗浄プロセスを自動化するために、例えば、ＰＬＣを介して操作されるようになっている。
【０２１４】
好ましくは、流体供給部１５７が洗浄流体を流路１５５に導き、さらにそこから型ドラムの内側開口２０に導くようになっている。ドラムの内側開口の洗浄は、任意選択的であり、内側開口を洗浄流体によって充填するか、または洗浄流体を所定時間にわたって流すことによって、行うことができる。カバー１４３が駆動手段を備えているとき、洗浄流体の連続流れを利用することもでき、これは、カバー１４３を開閉することによって、制御することができる。
【０２１５】
図１９ａおよび図１９ｂは、洗浄装置１４０の第２の実施形態を示している。この洗浄装置１４０は、図４において説明したドラムに基づいている。図１８との違いは、ドラムの分配器９がドラムの第２の先端４においてフランジ部内に一体化されていることである。この実施形態では、分配器の設計によって、より多量の洗浄流体を循環させることができる。当業者であれば、洗浄流体が、好ましくは、洗浄プロセス中に再循環されること、および流路が粒子を洗浄流体から濾過するフィルターを備えてもよいことを理解するだろう。洗浄流体は、好ましくは、水である。この水は、加熱器によって加熱されてもよいし、および／または化学物質が型ドラムの汚染に依存して添加されてもよい。１つまたは複数のドラムの洗浄の後、洗浄流体は、好ましくは、少なくとも部分的に再生されるようになっている。
【０２１６】
洗浄装置１４０の第３の実施形態では、カバー手段１５０は、流体ストッパ１５８を有することなく設けられている。この場合、ドラムの内側開口は、該内側開口を洗浄流体によって充填し、一定時間にわたって洗浄流体に浸すことによって、洗浄することができる。カバー１４３が駆動手段を備えているとき、流体の連続流れを利用することもできる。流体の連続流れは、カバー１４３を開放および／または閉鎖することに制御することができる。
【０２１７】
図２０は、成形された食製品をキャビティから排出するいくつかの実施形態を示している。図２０ａに示されているように、型ドラム、例えば、図７ｆによる型ドラムの回転中に、ガス、ここでは、圧縮ガスが、排出位置にあるキャビティ列の通路８に供給されることになる（矢印Ｐ参照）。ガスは、多孔質構造体を介して、隣接するキャビティ列にも流れることになる（矢印ＦＦ参照）。図２０ｂにおいて、流路７９ａは、比較的低圧力、例えば、周囲圧、好ましくは、減圧（真空）に通じる領域に接続されている（矢印Ｖ参照）。流路７９ａの減圧は、流体が流路８ａから隣接流路８ｂに流れことを防ぎ、さらに具体的には、多孔質構造体内の流体を除去することによって、流体が多孔質構造体を通って製品キャビティ列８ｂに流れるのを防ぐことになる（矢印ＦＦｂ）。この実施形態では、流体が依然として流路８ｃに流れることになるが（矢印ＦＦｃ参照）、これは、流路７９ｂを比較的低圧の領域に接続することによって、防ぐことができる。図２０ｃは、型ドラム、好ましくは、図７ａ〜図７ｅによる型ドラムを示している。ここでは、通路８ｂは、多孔質構造体内の流体を除去するために、比較的低圧力の領域に接続されている。もし列８ｃの多孔質構造体への流体流れが望ましくないなら、この通路   も、低圧の領域に接続させることができる。
【０２１８】
ドラムは、好ましくは、識別手段（図３および図４の符号１２参照）を備えており、成形装置は、認識手段（図１４ａの符号１３参照）を備えており、洗浄装置は、認識手段（図１８ｂおよび図１９ｂの符号１３参照）を備えており、好ましくは、貯蔵ユニットも同様である。
【０２１９】
図３および図４において、形状嵌合手段７は、多数、ここでは、３つのカムとして設計されているが、少なくとも１つのカムは、大きさおよび／または形状が異なっている。その結果、ドラムは、１つの回転位置においてのみ、成形装置および／または洗浄装置内に嵌合することになる。特に、成形装置において、ドラムの回転を常にドラムの同じ位置において停止することが好ましい。成形装置の充填プロセスおよび／または排出プロセスを制御するために、成形装置内における型ドラムの回転位置の正確な情報を利用することができる。
【０２２０】
識別手段１２、好ましくは、ＲＦＩＤは、形状嵌合手段７の１つのカムに配置されることになる。その結果、どのドラムがどの時間枠中に成形装置に接続されたかを認識することができる。従って、製造中、ドラムの正確な位置を知ることができ、製造中および洗浄中、予めプログラム化されたメニューを有する画面を自動的にポップアップすることができ、製造パラメータおよび洗浄パラメータ（プロセスパラメータ、具体的には、どの洗浄流体をどの時間枠中に用いることができるかを示すパラメータ）を記録することができる。簡素化された態様では、識別手段１２に代わって、カムがドラムに設けられていてもよい。成形装置は、認識手段１３に代わって、センサを備えることができる。従って、製造中、ドラムの正確な位置を知ることができる。用いられるドラムのメニューは、手動によって選択されねばならない。製造パラメータおよび洗浄パラメータを記録することができる。
【０２２１】
簡素化されたＩＤ、例えば、成形装置に彫られた固有の番号によってドラムを位置決めする場合、ユーザーがこのＩＤ番号を手動によって操作パネルに入力すると、操作パラメータを含むメニューがポップアップするようになっている。
ドラムが洗浄装置に配置されたとき、ドラムのＩＤを手動によって操作パネルに入力した後、洗浄パラメータおよび／または所定の洗浄手順を含むメニューがポップアップすることになる。
【０２２２】
成形装置および洗浄装置において認識手段を有しない好ましい実施形態では、ドラムは、ＲＦＩＤタグを備えていてもよい。このタグは、情報を記憶するためのメモリを備えている。ドラムが成形装置内に配置されたとき、タグの情報が、例えば、操作パネル／制御ユニットへの手動操作によって、読み取られる。この情報は、操作パラメータに関するメニュー／レシピを含むことができ、および／または成形装置の前回の運転に関する情報も含んでいる。成形装置による製造の後、読み取られた情報のみならず、終了した製造運転に関する情報も、タグのメモリに自動的に送信され、かつ記憶されることになる。ドラムが洗浄装置内において洗浄されるとき、タグのこの情報は、例えば、操作パネル／制御ユニット内への手動操作によって、読み取られることになる。この情報は、この特定のドラムの洗浄パラメータおよび／または所定の洗浄手順に関するメニュー／レシピ、および／または前回の洗浄操作に関する情報を含むことができる。洗浄の後、読み取られた情報および終了した洗浄操作に関する情報をタグのメモリに自動的に送信し、かつ記憶することができる。
【０２２３】
このように、ユーザーは、常に、製造運転の履歴および／または洗浄操作の履歴を検証し、特定のドラムが所定の洗浄手順（日時、プロセス、用いられた洗浄流体）によって洗浄されたかどうかを検証することができる。
【０２２４】
前述の実施形態の全てにおいて、仮に好ましくない場合であっても、製造メニューおよび／または製造履歴を成形装置のメモリに記憶することができ、洗浄メニューおよび／または所定の洗浄手順および／または洗浄履歴および／または用いられた洗浄流体の量を洗浄装置のメモリに記憶することができる。
【符号の説明】
【０２２５】
１  型ドラム
２−Ｉ〜２−Ｖ  製品キャビティ
２’キャビティ列
３  第１の先端（左側）
３’先端３のエンドキャップ
４  第２の先端（右側）
４’先端４のエンドキャップ
６  保護リム
７  形状嵌合手段
８  通路
９  分配器
１０  底壁
１１  側壁
１２  識別手段
１３  認識手段
１４  インサート支持領域
１５  流体絞り部
１６  切頭円錐（支持側）
１７  切頭円錐（駆動側）
１８  支持側（成形装置）
１９  駆動側（成形装置）
２０  ドラムの内側開口
２１  成形装置の駆動シャフト
２２  成形装置の円錐駆動シャフト
２３  成形装置のフレーム／フレーム部材
２４  成形装置のパイロットピン
２５  駆動シャフトのネジ部
２９  成形装置
３１  ギアボックス内の中空シャフト
３２  軸受ハウス（駆動側）
３３  軸受（駆動側）
３４  駆動モータ
３５  ギアボックス
４５  製造支持手段
４６  軸受ハウス（支持側）
４７  軸受（支持側）
５１  支持構造体
５２  スピンドル
５３  スピンドルナット（スピンドル５２の一部）
５４  支持ディスク  
５５  レバー
５６  係止手段
５７  連結ヘッド（スピンドル５２の一部）
５８  張力ナット
５９  軸受ハウスの円錐
６０  可動ユニット
６１  位置合わせ機構
６２  支持フレーム
６３  可動ユニットのフレーム
６４  高さ調整部
６５  ノブ
６６  位置決め手段
６７  アダプタ
６８  充填材、挿入物
６９  モールドの外側部材、焼結プレスの外周
６９ａ  モールドの内側部材
７０  多孔質基部、多孔質層、多孔質部材
７１  層
７２  モールド
７２ａ  形状嵌合手段、リブ７６の凹部
７２ｂ  透過性支持構造体
７２ｃ  ワイヤメッシを収容するリブ７６の凹部
７２ｄ  ワイヤメッシュをリブに接続する溶接部
７３  接合位置
７４  多孔質インサート７８の凹部
７５  内側円筒、管
７６  リブ
７７  内側部材
７７ａ  外側部材
７８  （部分的）多孔質インサート、（部分的）多孔質セグメント、（部分的）多孔質部材
７９  流路
８０  支持側のカバー
８１  駆動側のカバー
８２  流体制御部材
８３  リングセグメント
８４  バヨネット接続部
８５  接触リング
８６  バネ要素
８７  カウンターリング
８８  調整ロッド
９０  間隙、溝
９１  凹み、ノッチ
９２  基部
１００  塊供給システム
１０１  食品塊送給部材
１４０  洗浄装置
１４１  装填側（洗浄装置）
１４２  分配器側（洗浄装置）
１４３  カバー手段、固定手段
１４４  カバー手段１４３用外側シール手段
１４５  カバー手段１４３用内側シール手段
１４６  放出開口
１５０  カバー手段
１５１  カバー手段１５０用外側シール手段
１５２  カバー手段１５０用内側シール手段
１５３  分配器への流路
１５５  ドラムの内側開口への流路
１５６  流体供給部、噴霧手段
１５７  ドラムの内側開口への流体供給部
１５８  流体ストッパ
１６０  フード
１６１  噴霧手段
１６２  噴霧手段１６１用駆動手段
１６３  排出流体および／または洗浄流体用入口、溝
【図１】
0006595917.tif 000002
【図２ａ】
0006595917.tif 000003
【図２ｂ】
0006595917.tif 000004
【図２ｃ】
0006595917.tif 000005
【図２ｃ−２】
0006595917.tif 000006
【図２ｃ−３】
0006595917.tif 000007
【図２ｃ−４】
0006595917.tif 000008
【図２ｄ】
0006595917.tif 000009
【図２ｅ】
0006595917.tif 000010
【図２ｆ】
0006595917.tif 000011
【図２ｇ】
0006595917.tif 000012
【図２ｈ】
0006595917.tif 000013
【図２ｉ】
0006595917.tif 000014
【図２ｊ】
0006595917.tif 000015
【図２ｋ】
0006595917.tif 000016
【図２ｌ】
0006595917.tif 000017
【図２ｍ】
0006595917.tif 000018
【図２ｎ】
0006595917.tif 000019
【図２ｐ】
0006595917.tif 000020
【図２ｑ】
0006595917.tif 000021
【図２ｒ】
0006595917.tif 000022
【図２ｓ】
0006595917.tif 000023
【図２ｔ】
0006595917.tif 000024
【図２ｕ】
0006595917.tif 000025
【図２ｖ】
0006595917.tif 000026
【図３】
0006595917.tif 000027
【図４】
0006595917.tif 000028
【図４−１】
0006595917.tif 000029
【図５ａ】
0006595917.tif 000030
【図５ｂ】
0006595917.tif 000031
【図６】
0006595917.tif 000032
【図７ａ】
0006595917.tif 000033
【図７ｂ】
0006595917.tif 000034
【図７ｃ】
0006595917.tif 000035
【図７ｄ】
0006595917.tif 000036
【図７ｅ】
0006595917.tif 000037
【図７ｆ】
0006595917.tif 000038
【図７ｇ】
0006595917.tif 000039
【図８】
0006595917.tif 000040
【図９ａ】
0006595917.tif 000041
【図９ｂ】
0006595917.tif 000042
【図９ｃ】
0006595917.tif 000043
【図１０】
0006595917.tif 000044
【図１１】
0006595917.tif 000045
【図１２】
0006595917.tif 000046
【図１３】
0006595917.tif 000047
【図１４ａ】
0006595917.tif 000048
【図１４ｂ】
0006595917.tif 000049
【図１４ｃ】
0006595917.tif 000050
【図１４ｄ】
0006595917.tif 000051
【図１４ｅ】
0006595917.tif 000052
【図１５】
0006595917.tif 000053
【図１６ａ−１６ｂ】
0006595917.tif 000054
【図１７】
0006595917.tif 000055
【図１８ａ】
0006595917.tif 000056
【図１８ｂ】
0006595917.tif 000057
【図１９ａ】
0006595917.tif 000058
【図１９ｂ】
0006595917.tif 000059
【図２０ａ】
0006595917.tif 000060
【図２０ｂ】
0006595917.tif 000061
【図２０ｃ】
0006595917.tif 000062